(57)【要約】乳房シールド（４０）の内外シールド部（４２ａ、４２ｂ）は接合されて加圧可能なチャンバーを構成する包囲体を形成する。内シールド部は、チャンバーが負圧又は正圧を受けるとき、外シールド部に対して移動できる少なくとも一部分を有する。本発明は、無数の新奇な特質及び利点を有する乳房シールド及び搾乳器の種々異なる実施形態の形態を取る。
2005502397.tif 000002
【特許請求の範囲】
【請求項１】
搾乳用の乳房シールドであって、
下流端で終わる管状部分へ延び、且つ円周リムを有する幅広の上流端をもった内じょうご形状を有する剛性外シールド部、
前記外シールド部の下流端を受け入れるマウントを有するベース部、ベース部には更に導管構造体が形成され、この導管構造体は、乳がベース部の中を流れる乳通路、第１流体通路及び第２流体通路を含み、
内じょうご形状とほぼ一致する形状を有し、且つ前記外シールド部内に受け入れられる可撓性内シールド部、可撓性内シールド部は、長手方向軸線を有し、且つ前記長手方向軸線の周りに延び、乳房シールドの内部を構成する内側壁を有し且つ乳頭及び乳房の少なくともいくらかを、前記可撓性シールド部と密封接触して受け入れるようになった密閉袋を含み、
前記袋と前記外シールド部との間の膨張可能な領域、
前記外シールド部に形成され、前記膨張可能な領域と連通する流体孔、
前記第１流体通路は前記内部と連通し、
前記第２流体通路は、前記外シールド部が前記ベース部に取り付けられるとき前記流体孔と連通する、
乳房シールド。
【請求項２】
前記可撓性シールド部は、前記外シールド部の前記リムにスナップ嵌めする円周上流部分及び下流部分を有し、下流部分は前記管状部分の下流端のまわりに延び、それによって、管状部分のためのガスケット状構造体を形成し、管状部分をベース部とともに取り付けるのを容易にする、請求項１に記載の乳房シールド。
【請求項３】
前記第１流体通路は第１ポートを有し、前記第２流体通路は第２ポートを有し、前記ポートは流体圧力源に連結されるようになっており、前記膨張可能な領域は前記内部と別々加圧できる、請求項２に記載の乳房シールド。
【請求項４】
前記じょうご形状の前記幅広な上流端には凹面が形成され、前記可撓性シールド部は前記膨張可能な領域内の負圧の作用で前記凹面内へ引き入れられる、請求項３に記載の乳房シールド。
【請求項５】
搾乳用の乳房シールドであって、
下流端で終わる管状部分へ延び、且つ円周リムを有する幅広の上流端をもった内じょうご形状を有する剛性外シールド部、
前記外シールド部の下流端を受け入れるマウントを有するベース部、ベース部には更に導管構造体が形成され、この導管構造体は、乳がベース部の中を流れる乳通路、第１流体通路及び第２流体通路を含み、
内じょうご形状とほぼ一致する形状を有し、且つ前記外シールド部内に受け入れられる可撓性シールド部、可撓性シールド部は、長手方向軸線を有し、且つ前記長手方向軸線の周りに延び、乳房シールドの内部を構成する内側壁を有し且つ乳頭及び乳房の少なくともいくらかを、前記可撓性シールド部と密封接触して受け入れるようになった密閉袋を含み、
前記袋と前記外シールド部との間の膨張可能な領域、
前記外シールド部に形成され、前記膨張可能な領域と連通する流体孔、
前記第１流体通路は前記内部と連通し、
前記第２流体通路は、前記外シールド部が前記ベース部に取り付けられるとき前記流体孔と連通し、
前記ベース部の前記乳通路から乳を受け入れるための乳受け部、
前記第１及び第２流体通路と連通する流体圧力源、該流体圧力源は前記第１及び第２流体通路への第１及び第２出力をそれぞれ有し、該出力は異なる圧力にあることができる、
乳房シールド。
【請求項６】
前記第１出力は乳頭及び乳房を前記内部内で更に下流に引く間欠的な負圧であり、前記第２出力は袋を内部に対して内方に移動させる間欠的な正圧である、請求項５に記載の乳房シールド。
【請求項７】
搾乳用の乳房シールドであって、
下流端で終わる管状部分へ延び、且つ円周リムを有する幅広の上流端をもった内じょうご形状を有する剛性外シールド部、前記じょうご形状の前記幅広な上流端には、前記じょうご形状に対して内側に開放する凹面が形成され、
前記外シールド部の下流端と連通するベース部、ベース部には更に導管構造体が形成され、この導管構造体は、乳がベース部の中を流れる乳通路を含み、
第１流体通路及び第２流体通路、
内じょうご形状とほぼ一致する形状を有し、且つ前記外シールド部内に受け入れられる可撓性シールド部、可撓性シールド部は、長手方向軸線を有し、且つ前記長手方向軸線の周りに延び、乳房シールドの内部を構成し且つ乳頭及び乳房の少なくともいくらかを、前記可撓性シールド部と密封接触して受け入れるようになった内側壁を有し、
前記可撓性シールド部と前記外シールド部との間の膨張可能な領域、
前記第１流体通路は前記内部と連通し、
前記第２流体通路は、前記膨張可能な領域と連通し、
前記ベース部の前記乳通路から乳を受け入れるための乳受け部、
前記第１及び第２流体通路と連通する流体圧力源、該流体圧力源は前記第１及び第２流体通路への第１及び第２出力をそれぞれ有し、該出力は異なる圧力にあることができ、前記可撓性シールド部は前記膨張可能な領域内の負圧の作用で前記凹面へ引き入れられ、かつ前記膨張可能な領域内の正圧の作用で前記長手方向軸線に向かって内側に押圧される、
乳房シールド。
【請求項８】
前記第１出力は乳頭及び乳房を前記内部内で更に下流に引く間欠的な負圧であり、前記第２出力は、前記可撓性シールド部を前記内部に対して内方に又外方に移動させるため間欠的な負圧と交互をなす間欠的な正圧である、請求項７に記載の乳房シールド。
【請求項９】
長手方向軸線を有し、乳頭を含む女性の乳房を受け入れる内部を有する部分、該部分には可撓性領域が形成され、前記可撓性領域は休止位置を有し、かつ前記円錐部分に受け入れられた乳房に対して移動することができ、前記可撓性領域は乳房に面する内側及び外側を有し、
前記可撓性領域の外側で働き、前記可撓性領域を周期的に前記長手方向軸線に近づけたり遠ざけたりするための第１圧力手段、該第１圧力手段は、前記可撓性領域を前記休止位置に対して内側に、前記長手方向軸線に向かって、押す正圧、及び前記可撓性領域を前記休止位置に対して外側に、前記長手方向軸線から遠ざける、前記正圧と交互をなす負圧を発生させ、
前記内部内に負圧を発生させる第２圧力手段を有する、
搾乳器用乳房シールド。
【請求項１０】
搾乳用の乳房シールドであって、
下流端で終わる管状部分へ延びる幅広の上流端をもった内じょうご形状を有する剛性外シールド部、
前記外シールド部の下流端と連通するベース部、ベース部には更に導管構造体が形成され、この導管構造体は、乳がベース部の中を流れる乳通路を含み、
第１流体通路及び第２流体通路、
内じょうご形状とほぼ一致する形状を有し、且つ前記外シールド部内に受け入れられる可撓性シールド部、可撓性シールド部は、長手方向軸線を有し、且つ前記長手方向軸線の周りに延び、乳房シールドの内部を構成し且つ乳頭及び乳房の少なくともいくらかを、前記可撓性シールド部と密封接触して受け入れるようになった内側壁を有し、
前記可撓性シールド部と前記外シールド部との間の膨張可能な領域、
前記外シールド部に形成され、前記膨張領域と連通する流体孔、
前記内部と連通する第１流体通路、
前記流体孔と連通する第２流体通路、
前記ベース部の前記乳通路から乳を受ける乳受け部、
前記第１及び第２流体通路と連通する流体圧力源、該流体圧力源は前記第１及び第２流体通路への第１及び第２出力をそれぞれ有し、該出力は異なる圧力にあることができ、前記可撓性シールド部は前記膨張可能な領域内の負圧の作用で前記長手方向軸線から遠ざかるように引かれ、かつ前記膨張可能な領域内の正圧の作用で前記長手方向軸線に向かって内側に押圧される、
乳房シールド。
【請求項１１】
前記第１出力は乳頭及び乳房を前記内部内で更に下流に引く間欠的な負圧であり、前記第２出力は、前記可撓性シールド部を前記長手方向軸線に対して内方に又外方に移動させるため間欠的な負圧と交互をなす間欠的な正圧である、請求項１０に記載の乳房シールド。
【請求項１２】
前記可撓性シールド部及び前記外シールド部は一緒に一体に成形される、請求項１０に記載の乳房シールド。
【請求項１３】
搾乳用の乳房シールドであって、
下流端で終わる管状部分へ延びる幅広の上流端をもった内じょうご形状を有する剛性外シールド部、
前記内じょうご形状と一致し、前記内じょうご形状の長さに沿って延びる形状を有し、且つ前記外シールド部内に受け入れられる可撓性シールド部、前記可撓性シールド部は、長手方向軸線を有し、且つ前記長手方向軸線の周りに延び、乳房シールドの内部を構成し且つ乳頭及び乳房の少なくともいくらかを、前記可撓性シールド部と密封接触して受け入れるようになった内側壁を有し、
前記可撓性シールド部と前記外シールド部との間の膨張可能な領域、
前記外シールド部に形成され、前記膨張可能な領域と連通する流体孔、
前記内部と連通する第１流体通路、
前記可撓性シールド部は前記膨張可能な領域内の負圧の作用で前記長手方向軸線から遠ざかるように引かれ、かつ前記膨張可能な領域内の正圧の作用で前記長手方向軸線に向かって内側に押圧される、
乳房シールド。
【請求項１４】
前記可撓性シールド部及び前記外シールド部は一緒に一体に成形される、請求項１３に記載の乳房シールド。
【請求項１５】
空気と乳が通るポートをもったベース部材、
ベース部に取り付けられた乳房受け部、前記乳房受け部は、可撓性内側壁をもった膨張可能なチャンバーを有し、前記可撓性内側壁は乳頭を含む女性の乳房の少なくとも一部分を受け入れるようになった内部空間を構成し、前記乳房受け部は、内シールド部、内シールド部から間隔を隔てた外シールド部及び平滑に湾曲した頂移行部をもった、上から下までＵ形横断面を有する単一片で形成され、前記内シールド部、外シールド部及び頂移行部は内部空間を取り囲む前記膨張可能なチャンバーを構成し、
前記ベース部及び前記乳房受け部の一方に形成され、前記流体圧力源との連結のために前記膨張可能なチャンバーの内部と連通している第１ポート、
前記ベース部及び前記乳房受け部の一方に形成され、前記流体圧力源との連通のために前記膨張可能なチャンバーと連通している第２ポート、
を含む、搾乳器用乳房シールド。
【請求項１６】
前記乳房受け部の前記単一片は、前記可撓性内シールド部よりも厚い肉厚をもった外シールド部を有し、それにより、前記外シールド部が前記可撓性内シールド部と比較して比較的堅い、請求項１５に記載の乳房シールド。
【請求項１７】
前記乳房受け部の前記単一片は、最初、前記内部空間への向かい合った第１端開口及び第２端開口を有する内部領域を包囲する可撓性壁部材として形成され、前記乳房受け部は、第１端を反転させて第２端内に置くことによって作られる、請求項１５に記載の乳房シールド。
【請求項１８】
空気と乳が通るポートを有するベース部材、
ベース部に取り付けられた乳房受け部、前記乳房受け部は、可撓性内側壁をもった膨張可能なチャンバーを有し、前記可撓性内側壁は乳頭を含む女性の乳房の少なくとも一部分を受け入れるようになった内部空間を構成し、前記乳房受け部は、内シールド部、内シールド部から間隔を隔てた外シールド部及び平滑に湾曲した頂移行部をもった、上から下までＵ形横断面を有する単一片で形成され、前記内シールド部、外シールド部及び頂移行部は内部空間を取り囲む前記膨張可能なチャンバーを構成し、
前記ベース部及び前記乳房受け部の一方に形成され、前記流体圧力源との連結のために前記膨張可能なチャンバーの内部と連通している第１ポート、
前記ベース部及び前記乳房受け部の一方に形成され、前記流体圧力源との連通のために前記膨張可能なチャンバーと連通している第２ポート、
を含む、搾乳器用乳房シールド。
【請求項１９】
前記乳房受け部の前記単一片は、最初、前記内部空間への向かい合った第１端開口及び第２端開口を有する内部領域を包囲する可撓性壁部材として形成され、前記乳房受け部は、第１端を反転させて第２端内に置くことによって作られる、請求項１８に記載の乳房シールド。
【請求項２０】
前記乳房受け部は、平滑に湾曲した前方壁へ延び、次いで円周内側壁へ延びる円周外側壁を作る可撓性材料の単一片で形成され、前記側壁は互いに間隔を隔てて膨張チャンバーを形成し前記前方壁は円周内側壁によって形成された、前記内部への開口を構成し、前記側壁はベース部に取り付けられた後方端壁構造体で終わっている、請求項１８に記載の乳房シールド。
【請求項２１】
後方端壁構造体は前記ベース部に取り外し可能に取り付けられる、請求項２０に記載の乳房シールド。
【請求項２２】
前記後方端壁構造体は前記側壁を隔てることによって形成された開放リング形チャンネルであり、前記ベース部材は前記リング形チャンネルに受け入れられるリング形カラーを有し、それによって、前記乳房受け部は前記リング形カラーに密封可能に取り付けられる、請求項２１に記載の乳房シールド。
【請求項２３】
前記後方端壁構造体は、リングを形成するように前記側壁を一緒にすることによって形成され、前記ベース部材はリング形縦穴を有し、前記リングがこの縦穴に受け入れられ、それによって前記乳房受け部を前記ベース部材に密封可能に取り付ける、請求項２１に記載の乳房シールド。
【請求項２４】
前記側壁間で前記リングの少なくとも一部に隙間が残され、前記ベース部材に前記第１ポートが形成され、第１ポートは前記縦穴へ延びて前記隙間を介して前記膨張可能なチャンバーと連通する、請求項２３に記載の乳房シールド。
【請求項２５】
前記ベース部材に前記第１ポートが形成され、第１ポートは前記カラーを貫いて延びて前記リング形チャンネルを介して前記膨張可能なチャンバーと連通する、請求項２３に記載の乳房シールド。
【請求項２６】
前記圧力源と前記第１ポートとの間に弁が設けられ、前記弁は膨張可能なチャンバー内に所望な圧力レベルを維持するための第１位置と圧力レベルを解放するための第２位置とを有する、請求項１５に記載の乳房シールド。
【請求項２７】
前記圧力源と前記第１ポートとの間に弁が設けられ、前記弁は膨張可能なチャンバー内に所望な圧力レベルを維持するための第１位置と圧力レベルを解放するための第２位置とを有する、請求項１８に記載の乳房シールド。
【請求項２８】
平滑に湾曲した前方壁へ延び、次いで円周内側壁へ延びる円周外側壁を作る可撓性材料の単一片で形成された乳房受け部を有し、前記側壁は互いに間隔を隔てて前記膨張可能なチャンバーを形成し、前記前方壁は前記円周内側壁によって形成された前記内部への開口を構成し、前記側壁はベース部に取り付けられる後方端壁構造体で終わっている、乳房シールド。
【請求項２９】
前記後方端壁構造体は前記ベース部に取り外し可能に取り付けられる、請求項２８に記載の乳房シールド。
【請求項３０】
前記後方端壁構造体は前記側壁を隔てることによって形成された開放リング形チャンネルであり、前記ベース部材は前記リング形チャンネルに受け入れられるリング形カラーを有し、それによって、前記乳房受け部は前記リング形カラーに密封可能に取り付けられる、請求項２９に記載の乳房シールド。
【請求項３１】
前記後方端壁構造体は、リングを形成するように前記側壁を一緒にすることによって形成され、前記ベース部材はリング形縦穴を有し、前記リングがこの縦穴に受け入れられ、それによって前記乳房受け部を前記ベース部材に密封可能に取り付ける、請求項２９に記載の乳房シールド。
【請求項３２】
前記側壁間で前記リングの少なくとも一部に隙間が残され、前記ベース部材に前記第１ポートが形成され、第１ポートは前記縦穴へ延びて前記隙間を介して前記膨張可能なチャンバーと連通する、請求項３１に記載の乳房シールド。
【請求項３３】
前記ベース部材に前記真空ポートが形成され、該真空ポートは前記カラーを貫いて延びて前記リング形チャンネルを介して前記膨張可能なチャンバーと連通する、請求項３２に記載の乳房シールド。
【請求項３４】
前記膨張可能なチャンバーを膨張させるために、正圧源とチャンバーとの連結のための、前記チャンバーと連通するチャンバーポートを更に含み、且つ前記正圧源と前記チャンバーとの間に弁を更に含み、前記弁は前記弁は膨張可能なチャンバー内に所望な圧力レベルを維持するための第１位置と圧力レベルを解放するための第２位置とを有する、請求項２８に記載の乳房シールド。
【請求項３５】
互いに接合する左右部分で作られた剛性外シールド部、
前記外シールド部内に取り付けられた内シールド部、該内シールド部は乳房シールドに内側壁を形成し、乳頭を含む女性の乳房の少なくともいくらかを受け入れかつ乳房と実質的に気密接触してそれを取り囲むようになった内部を構成する。
前記内シールド部に形成された可撓性領域、該可撓性領域は乳房シールド内に受け入れられた乳房に対して移動でき、
前記可撓性領域と前記外シールド部との間に構成された第１空間、
流体圧力源を前記第１空間に連結するため、前記第１空間と連通する第１ポート、前記第１空間への正の流体圧力源の付与により、前記空間を膨張させ、それによって前記可撓性領域を移動させ、
前記内部と連通する第２ポート、それによって、前記内部への負圧源の付与により、乳房を内部へ更に引き入れさせる、
乳房シールド。
【請求項３６】
圧力を前記第１空間に伝える導管が前記外シールド部内に形成されている、請求項３５に記載の乳房シールド。
【請求項３７】
前記可撓性領域と前記外シールド部との間に構成された第２空間を更に有し、前記第２空間は前記乳房及び前記第１空間に対して下流に位置し、前記第２空間は前記第１空間に対して隔絶され、前記第２ポートは前記第２空間と連通して流体圧力源を前記第２空間に連結し、前記第１空間及び第２空間は互いに独立に膨張収縮することができる、請求項３６に記載の乳房シールド。
【請求項３８】
前記可撓性領域と前記外シールド部との間に構成された第３空間を更に有し、前記第３空間は前記第１空間及び前記第２空間に対して下流に位置し、且つ前記第１空間及び前記第２空間に対して隔絶され、第３ポートが前記第３空間と連通し、正圧か負圧のいずれかの源の付与により、前記第３空間を前記他の空間と無関係にそれぞれ膨張又は収縮させる、請求項３７に記載の乳房シールド。
【請求項３９】
前記第３空間は前記内部へ延びる前記可撓性領域の細長い部分であり、前記細長い部分に対して外側に付与された負圧によって前記細長い部分に作用させ、それによって、前記内部から遠ざかり、それによって、前記内部に負圧を発生させるとともに、前記内部に搾り出された乳から前記負圧源を隔絶するのにも役立つ、請求項３８に記載の乳房シールド。
【請求項４０】
前記左右部分は、内シールド部の周りにクラムシェル構成で係合し、且つ前記外シールド部から前記内シールド部の取り外しを可能にするように解放可能に連結される、請求項３５に記載の乳房シールド。
【発明の詳細な説明】
【０００１】
（発明の分野）
本発明は、一般的には、搾乳器に関し、より詳細には、１つの側面では、取り分け乳児の自然な哺乳作用を良く真似るために変化程度及び又は帯域で独立に付与することができる、正圧並びに負圧を送出する能力を有する乳房シールド装置に関する。
【０００２】
（発明の背景）
乳房シールドは周知であり、一般的には、乳房に嵌まるフード又はシールドと、シールド内に間欠的な真空（負圧）を発生させるための、シールドに連結された真空ポンプと、を含む。最も簡単かつ最も普通の形態では、真空ポンプの間欠的な吸引作用は、乳を絞り出すように乳房を引きそして乳房を揉むのに役立つ。絞り出された乳は典型的には、シールドから、普通乳房シールド装置に直接取り付けられたベビー瓶のような収集容器に流入する。
【０００３】
剛性乳房シールド組立体のフード又はシールド内使用のインサートも知られており、乳房シールドを寸法決めするのに使用されてきた。即ち、インサートは、円錐部分及び又は乳頭トンネルの内径を、より小さい乳房用に減ずるためにより大きいじょうご形乳房シールド内に使用される。ある剛性タイプの乳房も時として、寸法決め機構ほどではないが、乳搾り出し並びに心地良さの改善をしようとする際に、剛性外支持体又はフレームの内部に取り付けられた可撓性乳房接触部分又は具父もに採用されてきた。後者の適用では、間欠的な吸引（負圧）が可撓性膜は外側支持体との間の空間に付与され、可撓性膜を周期的に収縮させ、次いで、その休止状態に復帰させ、それにより、乳房及び又は乳頭を、乳搾りのために、優しく揉む。
【０００４】
殆どの場合には、乳房に付与される圧力は上述のように、負圧（吸引）である。その負圧は典型的には、乳房シールドの内部に特異な仕方で、即ち全体として乳房シールドに如何なる種類の異なる圧力付与もなく、付与される。これは、普通は、吸引の周期的なパターン（間欠的なパターン）でのみなされてきた。乳房に付与される正圧、即ち、膨張する（膨らむ）ことのできる部分の周りに圧縮力を有する乳房シールドを提供するある努力があった。本発明は、正圧及び又は負圧付与の種々の特性並びに操作中一方又は両方がどのように付与されるかの異なる順序を組み合わせようとする改良乳房シールド、搾乳器組立体、及びその操作方法に目的を有する。
【０００５】
（発明の概要）
搾乳器用の乳房シールドは、乳頭を含む、女性の乳房の少なくともいくらかを受けていれるようになった内部を有する内シールド部及び内シールド部の外側の外シールド部を有する。内シールド部と外シールド部は接合されて加圧可能なチャンバーを構成する包囲体を形成する。内シールド部は、チャンバーが負圧及び加圧の一方を受けるとき、外シールド部に対して移動できる少なくとも一部分を更に有する。
【０００６】
第１圧力ポートが第１圧力の流体圧力源との連結のためにチャンバーと連通している。第２圧力ポートが第２圧力の圧力源との連結のために内部と連通している。かくして、乳房シールドは、乳頭／乳房を圧縮するように又は揉むようにチャンバーを内部へ移動（膨張）させる正圧、及び乳の搾り出しのため乳頭／乳房を更に吸う、内部の負圧のような２つの異なる圧力を受けることが出来る。その上、圧力は独立に制御することができる。圧力は更に同じ圧力ポートを通して負圧と正圧を交互に付与しても良き。
【０００７】
ここに使用される負と正の用語は相対的な用語であることが理解されよう。例えば、負圧は単に、他の圧力より小さい正圧であってもよい。しかしながら、一般に、内部空間に付与されるような負圧は典型的には、周囲圧力（例えば真空）よりも小さい。
【０００８】
本発明の１つの側面では、可撓性内シールド部は、外シールド部のじょうご形内部と一致し且つその全長に延びる。
【０００９】
本発明は、剛性外シールド部、剛性外シールド部内に一体に成形された内シールド部を有する、搾乳器用の乳房シールドの形態を更にとり、内シールド部は乳房シールドの内側壁を形成し、それにより、乳頭を含む乳房の少なくともいくらかを受け入れ、且つこれを、乳房と実質的に気密接触で取り囲むようになった内部を構成する。可撓性領域が内シールド部に形成され、これは乳房シールド内に受け入れられた乳房に対して移動できる。この可撓性領域は内部のかなりの部分の周りに延びるのが有利である。
【００１０】
内シールド部と外シールド部との間には膨張可能なチャンバーが構成され、可撓性領域はこのチャンバーと連通する。第１ポートがチャンバーと連通して流体圧力源をチャンバーに連結し、それによって、流体圧力源のチャンバーへの適用で、チャンバーを正圧により膨張させ、負圧により収縮させ、それによって可撓性領域を移動させる。第２ポートが内部と連通し、それにより負圧源の適用が内部に伝えられる。
【００１１】
このような１つの実施形態は、内シールド部と外シールド部との間に構成された第１膨張可能なチャンバー及び第２膨張可能なチャンバーを有し、可撓性領域は各チャンバーと連通する。第１ポートは第１チャンバーと連通して流体圧力源を第１チャンバーに連結し、第３ポートが第２チャンバーと連通して流体圧力源を第２チャンバーに連結する。これにより、第１チャンバーは一方の流体圧力を受けることができ、第２チャンバーはもう１つの異なる流体圧力を受ける。
【００１２】
本発明の他の側面は、可撓性内シールド部のほぼドーナツ部分を形成する膨らんだ袋を有し、ドーナツ部分内に女性の乳房が受け入れられて下流部分に向かって延びる、作丹生器用の改良乳房シールドである。この袋は乳房／乳頭に対して移動される。
【００１３】
本発明の更に他の側面では、搾乳器用の乳房シールドは、空気と乳が通るポートをもったベース部材を有する。ベース部には乳房受け部が取り付けられ、乳房受け部は、可撓性内側壁をもった膨張可能なチャンバー装置を有し、可撓性内側壁は乳頭を含む女性の乳房の少なくとも一部分を受け入れるようになった内部空間を構成する。ベース部及び乳房受け部の一方に形成された第１ポートは流体圧力源との連結のためにチャンバーの内部と連通している。ベース部及び乳房受け部の一方に形成された第２ポートは流体源との連通のために膨張可能なチャンバーと連通している。
【００１４】
上記の乳房受け部は、内シールド部、内シールド部から間隔を隔てた外シールド部及び平滑に湾曲した頂移行部を有する単一片で形成され、それによって、内シールド部、外シールド部及び頂移行部は内部空間を取り囲むチャンバー装置を構成する。更に、乳房受け部の単一片は、外シールド部が内シールド部と比較して比較的堅くなるように、可撓性内側壁よりも厚い肉厚の外シールド部を有するように設計することができる。変形形態では、乳房受け部の単一片は、最初、両側に第１端開口及び第２端開口を有する内部領域を包囲する可撓性壁部材として形成され、乳房受け部は、第１端を反転させて第２端内に置くことによって作られる。
【００１５】
本発明の更に他の実施形態では、搾乳器用の乳房シールドは剛性外シールド部、外シールド部内に取り付けられた内シールド部とを有し、内シールド部は乳房シールドの内側壁を形成し、それによって内部を構成する。内シールド部のある部分、好ましくはかなりの部分に可撓性領域が形成される。可撓性領域は乳房シールド内に受け入れられた乳房に対して休止位置から移動できる。可撓性領域と外シールド部との間に第１空間が構成され、この明細書で使用される空間という用語は、存在するギャップ、キャビティ等である領域か、それを得ることのできる領域かのいずれかを単に意味する。第１ポートは空間と連通して流体圧力源を空間に連結し、それによって、正の流体圧力の第１空間への付与により、空間を膨張させ、それによって可撓性領域を休止位置に対して外方に移動させる。第２ポートが内部と連通し、それによって、負圧源の内部への付与により、乳房を内部へ更に引き入れさせる。
【００１６】
上記の例の他の形態では、乳房シールドは可撓性領域と外シールド部との間に構成された第２空間を更に有する。第２空間は乳房に対して下流に位置し、第１空間に対して隔絶される。第２ポートは第２空間と連通して流体圧力源を第２空間に連結する。かくして、第１及び第２空間は互いに独立に膨張収縮することができる。勿論、可撓性領域と外シールド部との間に第３空間を構成してもよい。
【００１７】
同じ線に沿う実施形態が外シールド部の内部の周りに間隔を隔てた凹面を有し、可撓性領域は真空により凹面に引き入れられる。
【００１８】
本発明の他の側面は、Ｕ形又は涙横断面を有するほぼドーナツ形状で形成された可撓性乳房受け部をもった搾乳器用の乳房シールドを有する。乳房受け部の向かい合った壁内に膨張可能なチャンバーが構成され、ドーナツ形状内に内部が構成され、この内部はお母さんの乳頭及びそれを取り囲む乳房を受け入れるようになっている。第１ポートが流体圧力源との連結のため膨張可能なチャンバーと連通し、第２ポートが圧力源との連結のため内部と連通する。ポートの一方又は両方はベース部に形成することができる。
【００１９】
上記の実施形態の乳房受け部は有利には、平滑に湾曲した前方壁へ延び、次いで円周内側壁へ延びる円周外側壁を作る可撓性材料の単一片で形成される。側壁は互いに間隔を隔てて膨張チャンバーを形成する。前方壁は円周内側壁によって形成された、内部への開口を構成し、側壁はベース部に取り付けられた後方端壁構造体で終わる。後方端壁構造体はベース部に好ましくは取り外し可能に取り付けられる。これは、側壁を隔てることによって形成された開放リング形チャンネルである後方端壁構造体の使用によることがあり、ベース部はリング形チャンネルに受け入れられるリング形カラーを有し、それによって、乳房受け部はリング形カラーに密封可能に取り付けられる。他の方法は、リングを形成するように側壁を合わせることによって後方端壁構造体を形成させることにあり、ベース部はリング形縦穴を有し、リングがこのリング形縦穴に受け入れられ、それによって、乳房受け部をベース部に密封可能に取り付ける。
【００２０】
全てではないが殆どの実施形態では、例えば、圧力源と第１ポートとの間に弁を更に設けることがある。弁は膨張可能なチャンネル内に所望な圧力レベルを維持するための第１位置と圧力レベルを解放するための第２位置とを有する。
【００２１】
本発明の更に他の側面では、搾乳器用の乳房シールドは互いに接合する左右部分で作られた剛性外シールド部を有する。外シールド部内に内シールド部が取り付けられ、内シールド部は乳房シールドに内側壁を形成し、乳頭を含む女性の乳房の少なくともいくらかを受け入れかつ乳房と実質的に気密接触してそれを取り囲むようになった内部を構成する。
【００２２】
内シールド部には可撓性領域が形成され、可撓性領域は乳房シールド内に受け入れられた乳房に対して移動できる。可撓性領域と外シールド部との間に第１空間が構成される。第１ポートが第１空間と連通して流体圧力源を第１空間に連結し、それによって、正の流体圧力の第１空間への付与により、空間を膨張させ、それによって可撓性領域を移動させる。第２ポートが内部と連通し、それによって、負圧源の内部への付与により、乳房を内部へ更に引き入れさせる。可撓性領域と外シールド部との間に、それぞれのポートをもった追加の空間を構成してもよく、各空間は、該空間が互いに独立に膨張収縮することができるように、互いに隔絶される。
【００２３】
１つのこの様な空間は内部へ延びる可撓性領域の細長い部分である。細長い部分に対して外側に付与された負圧によって細長い部分に作用させることができ、それによって、内部から遠ざかり、それによって、内部に負圧を発生させるとともに、内部に搾り出された乳から負圧源を隔絶するのにも役立つ。
【００２４】
有利には、内シールド部の周りにクラムシェル構成で係合する上記の左右部分を設けるのがよい。左右部分は外シールド部から内シールド部の取り外しを可能にするように解放可能に連結される。
【００２５】
本発明の更に他の側面では、搾乳器の乳房シールドは、下流端で終わる管状部分へ延びる幅広の上流端を含む内じょうご形状を有する剛性外シールド部を含む。幅広の上流端は円周リムを有する。
【００２６】
ベース部はマウントを有し、外シールド部の下流端はこのマウント内に受け入れられる。ベース部には更に導管構造体が形成され、この導管構造体は、乳がベース部の中を流れる通路並びに第１流体通路及び第２流体通路を含む。
【００２７】
可撓性内シールド部は内じょうご形状とほぼ一致する形状を有し、そして外シールド部内に受け入れられる。可撓性内シールド部は、乳房シールドの内部を構成する内側壁を有し且つ乳頭及び乳房の少なくともいくらかを、前記可撓性内シールド部と密封接触して受け入れるようになった袋を含む。
【００２８】
膨張可能な領域が可撓性内シールド部の袋と外シールド部との間に存在する。外シールド部には、膨張可能な領域と連通する流体孔が形成される。第１の流体通路は内部と連通し、第２流体通路は、外シールド部がベース部に取り付けられるとき流体孔と連通する。
【００２９】
その上、上記の可撓性内シールド部は、有利には、外シールド部のリムにスナップ嵌めする円周上流部分及び下流部分を有し、下流部分は管状部分の下流端のまわりに延び、それによって、管状部分のためのガスケット状構造体を形成し、管状部分をベース部とともに取り付けるのを容易にする。
【００３０】
上記の実施形態の乳房シールドは１つの形態では、乳頭及び乳房を内部内で更に下流に引く間欠的な負圧として第１出力を使用する。第２出力は袋を内部に対して内方にいどうさせる間欠的な正圧である。
【００３１】
添付図面と関連して示す種々の現在企画された実施形態の以下の詳細な説明を参照して、本発明は更に正しく認識され、またその特質及び利点が更に理解されよう。
【００３２】
（発明の実施形態の詳細な説明）
図１は本発明の乳房シールドの第1の実施形態を示す。乳房シールド４０は、乳房受け部４２と、乳房受け部４２を受け入れる剛性ベース部材４４と、で形成されている。ベース部材４４は形状が円形であって、中央に下方に垂下した管状延長部４６を有し、管状延長部は、大きな通路４８と、小さい出口５０と、を含み、出口５０は乳房受け部４２の内部へ延び、そしてその内部と連通している。ベース部材４４は上面５２及び外面５４を有し、ベース部材４４がこれらの面間に幾分円環体状即ちリング状の形状を形成する。リングの内側によって縦穴５８が形成され、内部環状取付けリップ又はビード６０が縦穴の中へ突出し、外部環状取付けリップ又はビード７０（図２）がリングの外側に沿って延びている。乳房受け部４２はこれらのリップ６０、７０でベース部材に取り付けられている。ベース部材４４は、ベース部材の製造の際に余分な材料を除去するのに役立つ環状アンダーカット６２を更に含む。
【００３３】
図１のこの第1実施形態では、乳房受け部４２は幾分ゴム状の全体的に可撓性の材料のものであり、主として、乳頭を、そのすぐ隣の乳房と一緒に取り囲むように設計されている。乳房受け部４２は外側については、厚い側壁４２Ａを有し、この側壁は乳房受け部の入口へ延び、内部に沿って薄い側壁４２Ｂを有する。厚い側壁４２Ａは乳房受け部がその全体的な形状を保持する構造を提供し、薄い側壁４２Ｂは、後でもっと詳細に説明するように、もっと可撓性である。ビード７０を受け入れる溝６４が乳房受け部の外側壁４２Ａの内部底に沿って形成されている。薄い側壁４２Ｂの内部底にも同様な溝が形成されてもよいし、或いは材料それ自体がビード６０に簡単に嵌まる程の弾力性を有していてもよい。かくして、乳房受け部はこの方法でベース部材４４に取り付けられることがわかるであろう。しかしながら、容易に理解されるように、乳房受け部４２とベース部材は単一のピースとして整形されてもよいし、さもなければ、全体のまとまりとして組み立てられてもよい。
【００３４】
特に、今、図２に目を向けると、負圧又は第1圧力源（吸引）が管状延長部又は通路４８に連結され、さもなければ管状延長部又は通路と連通しる。この第1圧力源はまた、ある適用では正圧を伝えてもよい。
【００３５】
図示したように、小さい直径部分７２ｂと連通している大きい直径部分７２ａからなるポート７２による第２圧力源のための連結部がある。大きい直径部分７２ａは、第２圧力源と連通するチューブ７７について、例えば、簡単な干渉嵌めによって連結体７５との連結を容易にする。この第２圧力源は正圧（圧縮）でもよいし、あるいは、負圧でもよいし、これは、再び、適用と望まれる効果に完全に依存している。圧力は、空気又は他のガス、並びに、更に高温でも低温でもよい液体のようなどんな流体源でもよいことに気づくであろう。
【００３６】
操作の仕方として、乳頭及びその直ぐそばでこれを取り囲む乳房領域が乳房受け部４２の内部空間内に受け入れられる。第１の圧力源が負圧であり（４８で）、第２圧力源が正圧である（７２で）例示の状況を使用すると、負圧（吸引）が出口／通路５０、４８を経て付与される。これにより乳頭及び乳房に着く。圧縮圧力を第２圧力源からポート７２を経て追加的に付与し、それにより、薄い内側壁４２Ｂを乳房受け部の内部９０へ拡張させる。それによって、この方法で乳がしぼられる。再び、ここに記載の発明の種々の実施形態で明らかにされるように、これらの圧力源は多くの方法及び組み合わせで選択され且つ適用される。例えば、第２圧力源は、第１吸引源が一定レベルに達した後にのみ最初は正圧であり、次いで、しかる後、負圧に転じる。第２圧力源は最初は負圧であり、かくして、第1圧力源の吸引によって乳頭が乳房受け部４２の内部空間９０に引き入れられると、乳房受け部４２の内部空間９０を拡張し、次いで、第２圧力源が正圧になって内部空間内の乳頭及び乳房を圧縮する。従って、多くの異なる圧力の組み合わせ、サイクル、及び適用が考えられる。
【００３７】
図１の実施形態では、絞り出された乳は最初縦穴５８内に集まり、次いで出口５０及び通路４８を通過し、最後に瓶（この実施形態では図示されていないが、図４では、例えば８４で）に、或いはその他の容器に集められる。搾乳器の流体制御（乳及び空気）の標準且つ周知のバルブ操作、搾乳器と一緒に通常使用される他の関連した搾乳器部品及び装置の詳細はここでは説明されていないが、そのようなものは例えば米国特許第４，８５７，０５１号に示されており、この様な他の詳細についてはこの特許を更に参照することができる。
【００３８】
図３は多くの点で記載したばかりの乳房シールドと似た乳房シールドの第２の実施形態１００を示す。可撓性の乳房受け部８６がこの例ではほぼ一様な肉厚を有する。この乳房受け部８６は、例えば、内部側壁９４によって構成された内部空間９０及び内部側壁９４と外部側壁９２との間にドーナツ状のチャンバー９５を得るために折り返された単一の裁断片によって形成されるのよい。これは、上記の側壁間に乳房受け部の平滑に湾曲した頂き移行部９１を与える。この第２実施形態では、乳房受け部８６の端８７、８９はベース部材１０４の頂面に形成された環状スロット又はチャンネル１０２内に取り付けられる。しかしながら、各端８７、８９がスロット１０２の周り少なくともずっとではなく接触しないで、チャンバー９５の中へ延びる空間又は隙間を端間に形成することに気づくべきである。
【００３９】
ベース部材１０４の底面１０５には、チューブ７７及び連結体７５を介して圧力流体、ここでは正圧を導くポート１０６が形成される。同じ番号は種々の実施形態の間の同じ部品及び要素に関することに気づくべきである。
【００４０】
内側壁９４は内部空間９０を構成し、内部空間は、内側壁が出口５０の方に長手方向軸線に沿って移動する時半径方向に拡張する直径を有する。内部空間９０内に挿入された乳房／乳頭は、乳頭が内部空間のこの輪郭の広がった領域内に配置されたことになる。内部空間９０は出口５０及びベース部材１０４の環状部４６に形成された通路４８と連通している。チャンバー９５内に間欠的な正圧を、内部空間に負圧を付与するとき、内部空間のネックに受け入れられた乳房の乳頭領域並びに乳房それ自体は、乳房及び乳頭に向かったり遠ざかったりする乳房受け部の側壁の撓みによって揉まれ、乳頭は出口５０をとおる真空によって内部空間９０の中へリズミカルに引き入れられる。
【００４１】
図４は、図３に示す実施形態のものと似た他の変形例を示す。本発明のこの第３実施形態では、肉厚は再びほぼ一様であるが、そうである必要はない。しかしながら、図３の方法で単一の片を折り曲げる代わりに、この乳房シールドは例えばその一体形状に形成することによって形成される。乳房受け部１１１は可撓性の内側壁１０９と外側壁１０８を有し、それらの側壁間にドーナツ状のチャンバー９５を構成する。側壁１０８、１０９の「端」は隔壁部１１２と一体に接合され、それによって、乳房受け部１１１の内部空間を上部分９０Ａと下部分９０Ｂに区切る。隔壁部はその中央に出口１１５を有する。
【００４２】
上部分９０Ａは出口１１５と連通視、出口も内部空間の下部分８０Ｂと連通している。下部分９０Ｂは負圧源（真空）と連通している。チューブ１１７がこの第３実施形態の乳房受け部１１１のチャンバー９５の中へ延び、そして側壁１０８に固定される。チューブ１１７が連結体７５を経てチューブ７７に連結され、チューブ７７は正圧源のような他の圧力源に連結できる。再び、負圧源は、多分、工程のある時点で部分９０Ａ、９０Ｂと連通するであろうけれども、これはサイクルの他の時点で部分９０Ａ、９０Ｂに正圧を付与することを排除しない。同じように、負圧をチャンバー９５に付与してもよい。負圧をチャンバー９５に使用して部分９０Ａ、９０Ｂ内に「真空」状態をつくることができる。連結体９５はチャンバー９５内の圧力を調整する圧力解放の一方向弁のような弁であってもよい。下部分９０Ｂ内のカラー１１８は搾乳器８０の一部であり、このカラー１１８に第３実施形態の乳房シールド１１０が取り付けられる。カラー１１８の外部は外部ビード７０を有し、外部ビードは、乳房シールド１１０の下流端の首部８９に形成された補足し合う溝６４内に受け入れられる。もらろん、乳房シールドを搾乳器組立体の残部に取付け又は連結する他の手段、例えば、スナップ嵌め、螺合等を使用してもよい。
【００４３】
出口１１５を通過した乳は部分９０Ｂからカラーの中へ流れ、そして内導管構造体を通って瓶８４に至る。この実施形態では、手動ピストンポンプ８２が乳房受け部の内部９０Ａと連通している負圧源として図示されており、このようなピストンポンプの詳細並びに搾乳器組立体は米国特許第４，８５７，０５１号で調べることができる。
【００４４】
前の実施形態と同じように、チャンバー９５を、所望な方法で、即ち、乳房受け部の内部９０Ａ／９０Ｂに周期的な吸引力を付与して、膨らませたり、萎ませたりする。乳房シールド１１０の乳房受け部の内部空間内に受け入れられた女性の乳房は内側壁１０９の撓み作用によって揉まれ、乳房から乳を絞り出す。
【００４５】
図５を参照すると、図３の実施形態を暗示する乳房シールドの更に他の実施形態が示されており、乳房シールドを形成するために記載された方法論も図１に示す実施形態にある程度まで適用できる。図５に示すように、乳房シールド１２０は、第１開口端１２１及び第2開口端又は首部１２２を有する可撓性の壁部材で形成される。第１開口端１２１の内部には一対の間隔を隔てたビード１２３が設けられている。乳房シールドは最初図５に実線で示す形状に成形することによって形成されるものである。外部側壁９２は少なくとも一部（即ち外側にとどまる部分）が半剛性乃至剛性に作られる。
【００４６】
図５の乳房シールドの構造は第１開口端１２１の可撓性壁部材の内部領域への反転を伴い、次いで可撓性壁部材を、図に示す太い矢印の方向（長手方向軸線）に沿って、第２開口端１２２の中へ引き入れる。ビード１２３は、反転工程により首部１２２を構成する側壁の内側に係合してそれを把持する。ビード１２３を受け入れるための溝を首部１２２の内側に設けてもよいことに気づくべきである。上記の工程の結果として形成された乳房受け部は、乳房及び乳頭を受け入れるための内部空間９０を構成する内側壁９４を有する単一の一体部材を有する。内側壁９４と外側壁９２が組合わさってドーナツ状のチャンバー９５を形成する。圧力源をチャンバー９５に付けるための連結体／チューブの取付け用のポート１２４が設けられている。図５の実施形態によって形成された乳房シールドは前に説明したカラー１１８と同様のカラー１１９に取り付けられる。
【００４７】
図６は図１の実施形態と似た他の実施形態の乳房シールド１３０を示す。本発明のこの第４実施形態の乳房シールド１３０では、乳房受け部の内側に上部分又はチャンバー９５Ａと下部分又はチャンバー９５Ｂを構成する内側リング状仕切り１２５が設けられている。上チャンバー９５Ａと下チャンバー９５Ｂは互いに隔絶され、これらチャンバーはそれぞれのポート１３１、１３２を有している。ポート１３１、１３２の各々内に固定され且つそこから延びるチューブ１１７が示されており、連結体／弁７５及び供給チューブ７７がチューブ１１７に連結でき、正圧及び又は負圧流体をそれぞれのチャンバー９５Ａ、９５Ｂに導く。各チャンバー９５Ａ、９５Ｂ内の圧力は、一方のチャンバーが負圧を有し、他方のチャンバーが正圧を有するように、異なっている。他の例として、両方のチャンバーは、異なる量の正圧を有してもよい。再び、各チャンバー９５Ａ、９５Ｂの圧力及びそのサイクル、並びに乳房受け部の内部空間９０に付与される圧力を希望通りに選択し且つ調整することができる。前の図１の実施形態の操作と同じように、内側壁４２Ｂの横断面が外側壁４２Ａの肉厚よりも薄いので、内側壁４２Ｂはもっと可撓性であり、それにより、流体源が一方のチャンバー又は両方のチャンバーン９５Ａ、９５Ｂに付与されるとき、内側壁を内部空間９０の方に或いは内部空間から遠ざかるように撓ませる。内側壁４２Ｂの撓みにより乳房及び乳頭が揉まれる。しかしながら、チャンバー９５Ａ、９５Ｂ内部空間の２つの異なる圧力及びそれらの付与の効果、並びに内部空間９０に付与される吸引を、例えば、授乳中赤んぼの作用をもっと厳密に監視する方法で、独特に使うことができる。
【００４８】
今図７及び８に目を向けると、本発明の他の実施形態が記載されている。図７で最も良く分かるように、第５実施形態の乳房シールド１４０は、第１半部１４２及び第２半部１４４を有する剛性の外シールド部と、それらの間に介在させたエラストマーの可撓性内シールド部１４３と、で構成される。外シールド部の第１及び第２半部１４２、１４４は互いに補足し合う虚像関係にあり、従って、図７に示す剛性シールドの下半部即ち第２半部１４４を幾分より詳細に説明する。
【００４９】
図から分かるように、剛性の外シールド１４２、１４４はじょうご部分１４６と一体の湾曲しした管状部分１４８とで構成される。周囲フランジ１５０が外シールドの周辺を取り囲み、各半部１４２、１４４を互いにスナップ嵌めするのを容易にし、可撓性の内シールド１４３の補足し合うフランジ１４９をも捕捉する。変形例として、２つの半部を接合するためのクラムシェル効果をもたらすために、各半部を、単一の即ち共通のフランジ側が周知である方法で互いに一体に連結されるように成形してもよい。剛性の外シールドの前方端には、乳房が乳房シールド１４０内部空間に受け入れられるとき使用者の乳房に当接する内方に湾曲した平滑なリップ１５２が形成されている。変形例として、乳房とのより心地よい接触を行わせるために、軟質部の前端を前方に延長させてもよい。外シールドの他の（後方）端には環状カラー１５４が形成され、カラー１５４は、カラー、かくして乳房シールド１４０を、乳収集容器（図示せず）を含む搾乳器組立体の残部に連結するための雌ねじ山、スナップ嵌め手段、或いはある他の手段を備えるのがよい。
【００５０】
各半部１４２、１４４には、半部のそれぞれの内壁１５６、１５８に形成された一連の長手方向に間隔を隔てた半径方向溝１６０、１６２、１６４、１６６が設けられている。半径方向溝は、2つの半部１４２、１４４が互いに取り付けられたとき湾曲座を形成する（図8参照）。座は、好ましくは、内シールド部１４３の外側に形成されたそれぞれのビード１７１、１７３、１７５、１７７を受け入れる半球横断面形状を有する。
【００５１】
第１溝１６０はじょうご部分１４６に形成されたリップ１５２に隣接して位置する。第２溝１６２も、じょうご部分１４６と湾曲した管状部分との移行領域に隣接した直径の小さい端でじょうご部分１４６に配置される。第３溝１６４は湾曲した管状部分１４８の頂端１７８の近くに配置される。第４の最後の溝１６６は湾曲した管状部分１４８の下端１８０に位置する。半部１４２、１４４が接合されるとき、座の各々は内シールド部に一体に形成されたそれぞれのビード１７１、１７３、１７５、１７７を受け入れ、これは、内シールド部１４３を剛性外シールド半部内に固定し且つ位置決めするのに役立つ。
【００５２】
外シールドはまた管状部分１４８から突出する一体のポート付部分２００を有する。ポート付部分２００は第１、第２、第３圧力ポート２０２、２０４、２０６を備え、その各々は、それぞれ第１チャンネル２０８、第２チャンネル２１０、及び第３チャンネル２１２（チャンネル２０８、２１２だけを、説明のよりよい明瞭さのために）点線で示す）と連結される。各チャンネルは、まもなく以下で説明されるように乳房シールドの特定の圧力帯域に付与される流体圧力の導管を形成する。この実施形態の考えでは、各チャンネルは一方（又は両方）の半部１４２、１４４に形成され、内側に沿って開口する。エラストマーの内シールド部１４３は半部の内側に押しつけるように寸法決めされ、それによって、上記のチャンネルの開口内側を閉じ、それぞれの圧力帯域に至る導管構造を完成する。
【００５３】
３つの圧力ポートは各半部１４２、１４４に等しく形成されそして形状が円筒形である。内シールド部１４３には３つのポート２１４、２１５、２１６が形成され、これらのポートは外半部のポート内に受け入れられる。内シールドのポート２１４、２１５、２１６の内端には出口２１８がある。これらの出口は外半部のチャンネルは連通する。空気又は他の流体圧力を導くための連結体／チューブはポート２１４、２１５、２１６で連結できる。明らかになるように、特定の帯域に付与される圧力は他の帯域とことなってもよいし同じであってもよい。各圧力帯域への導管は内側壁１５６、１５８で終わっている。勿論、帯域の数を増やしてもよいし、減らしてもよい。
【００５４】
上記のように、乳房シールド１４０は内シールド部１４３を形成するエラストマーの可撓性部材を有する。内シールド部１４３は、円錐形部分２２６と、管状延長部分２２８とからなる第１及び第２半部、１４２、１４４とほぼ補足し合う形状を有する。内シールド部１４３の内側は女性の乳頭及び乳房を受け入れる内部空間９０を構成する。
【００５５】
円錐形部分２２６には、ほぼ第１環状座１６０と第２環状座１６２との間に第１圧力帯域２７０が位置する。第１圧力帯域２７０より更に下流で、ほぼ第２環状座１６２と第３環状座１６４との間に第２圧力帯域が位置する。第３圧力帯域２７４が環状延長部分２２８に位置する。第１圧力帯域２７０は、２３で内隆起領域の形態をなした膨張可能チャンバーによって構成される。これは、側壁構造に作られた薄い内部分（即ち、内部空間９０へ面している）である。チャンネル／導管の端と整合した領域２３０への孔（図示せず）によって、チャンネル／導管２０８を介して運ばれた正圧が領域２３０に付与されるとき、第１圧力帯域２７０を構成しているこの側壁が、内方に、即ち図８に点線で示すように、内部空間９０の中へ膨張する。圧力の解放により、側壁はその休止位置即ち元の位置に戻る。
【００５６】
第２圧力帯域２７２が同様な方法で作られ、且つ作動する。第２圧力帯域２７２はチャンネル／導管２１０と連通している内シールド部１４３の領域２３１を有する。
【００５７】
この実施形態における内シールド部１４３はまた環状延長部２２８内部空間に一体に形成された一対の向かい合った窪み部分２７６を有する。各窪み部分２７６は触覚面として役立つ以外の何者でもなく、乳頭及び乳房は内部空間９０内に付与された吸引作用で触覚面に軽く接する。しかしながら、窪み部分の外側と連通しているチャンネル／導管２０６のところの圧力源からの負圧により、窪み部分２７６の外側に働く負圧は窪み部分を外方に撓ませるのに役立つ。これは内部空間９０内に負圧（吸引）を発生させ、これは真空源を隔絶するのにも役立つ。それによって、この変形形態ではチャンネル／導管２１２を経て運ばれる圧力により窪み部分２７６を膨らませたり萎ませたりすることができる。
【００５８】
図７及び８の上記の実施形態の操作では、女性の乳房を乳房シールド１４０の内部空間（チャンバー）９０の中へ差し込み、例えば周辺１５２に内シールド部１４３の内側壁とともに気密シールが作られる。女性の乳房及び乳頭は、乳頭がほぼ可撓性の窪み部分２７６の間に受け入れられるように内部空間９０の中へ延びる。１つの例として、正圧流体源（図示せず）を第１及び第２圧力ポート２０２、２０４に連結し、かくして帯域２７０、２７２に連結し、負圧を第３圧力帯域２７４への第３圧力ポート２０６に供給し（即ち、内部空間９０内に吸引力を作る。）。吸引力が内部空間９０に付与されると、正圧流体（例えば空気）が圧力帯域２７０、２７２に間欠的に付与される。正圧の付与により、これらの帯域でエラストマーの内シールド部１４３を、図８の点線で分かるように、内部空間９０の中へドーナツ状に膨張させる。可撓性領域の内部空間９０への膨張により、乳房の圧縮／減退を引き起し、そして乳房に揉み効果を生じさせる。負圧が内部空間９０に間欠的に付与されると、可撓性の窪み部分２７６はその負圧の作用で乳房に対して周期的に撓み、接触したとき乳頭の刺激を引き起し、乳房からの乳の搾り出しを更に増すと考えられる。
【００５９】
各帯域において付与される圧力の速度及び量とともに、圧力付与のシーケンスを独立に確立して制御してもよい。これは、多分製造業者によって予め設定されるが、使用者によるいくらかの変化性も与えられるのがよい。利用される正圧及び負圧の両方について単一の圧力発生器（ポンプ）を使用してもよく、適当な圧力調整器及び弁が圧力帯域に付与される種々の圧力について採用される。真空／正圧発生用の一般的な装置、及び真空／圧力を搾乳器組立体及び乳房シールドに移送する関連したチューブは当業者において周知である。
【００６０】
図９に目を向けると、本発明の第６の実施形態が示されている。この実施形態では、乳房シールドはツーピースの剛性外シールド部２９２Ａ、２９２Ｂと、可撓性の内シールド部２９４とで形成されている。剛性外シールド部の第１ピースは主乳房シールドハウジング２９２Ａであり、第２ピースは、ハウジング２９２Ａに取りつけられ、乳房シールド２９０の掃除又は組立のために取り外すことができる蓋２９２Ｂである。変形例として、ハウジングはワンピースハウジングでも良くこの場合には、蓋部分は、一体のユニットを形成するために主本体部分に超音波溶接され、さもなければ固着される。
【００６１】
剛性ハウジング２９２Ａは、使用者の乳房が主として受け入れられる領域と関連した、ハウジングの乳房受け部部分を構成する円筒体として形成された前部分を含む。円筒体の上流端は外方に湾曲したリップ又はリム２９６を有し、下即ち下流端２９８は、環状溝３０２を構成するように円筒体の内側壁面２９３から間隔を隔てていて、内方に突出した環状の出っ張り３００を有する。環状溝３０２及びリップ２９６は、可撓性内シールド部の周りに延び、且つ溝３０２内に受け入れられる環状リップ又はフランジ３４６と、リップ２９６にスナップ嵌めする３４２及び３４４のところで可撓性内シールド部の前端によって構成された溝とによって可撓性内シールド部３９４を剛性外シールド部２９２Ａ内にしっかりと固定し且つ位置決めする。
【００６２】
ハウジング２９２Ａの後方（下流）部分は、前方ハウジング２９２Ａの下端２９８から下方に垂下する円筒形チューブで構成された延長部分３０４からなる。延長部分３０４の一端には、乳収集瓶（図示せず）に取り付けるためのカラー３１０が一体に形成されている。カラー３１０は図示されているようにねじ山３１１を有してもよいし、或いは瓶との連結のためのスナップ嵌め機構等を備えてもよい。
【００６３】
蓋２９２Ｂが、ハウジング２９２Ａの場合半球形状又は他のそれに似た形状である楕円形領域３３０を覆い、乳房シールド２９０内にキャビティを構成する。包囲されたチャンネル３１６も蓋２９２Ｂの一部であり、ユニットの乳房受け部部分の内側に沿って延びるチャンネル３２０と連通している。蓋２９２Ｂの周囲には、蓋２９２Ｂａ  この領域で主ハウジング２９２Ａの補足し合う肩にスナップ嵌めさせるアンダーカット３１９がある。チャンネル３１６は第１圧力ポート（図示せず）と連通し、その目的をすぐに説明する。蓋には第２圧力ポート３２６が形成され、この圧力ポートはキャビティ３３０と直接連通している。第１及び第２圧力ポートはそれぞれの加圧流体源に連結するようになっている。
【００６４】
今、この実施形態の可撓性の内シールド部２９４に目を向けると、内シールド部には、前方部３３２、中間首部３３４及び後方（下流）部３３６が形成されている。前方部３３２は、後方端の溝３０２及びリップ３００での取付けに関して前に説明した円筒部分からなり、そして、剛性シェルの円筒壁の形状と補足し合う。可撓性の無内シールド部２９４の前方部３３２の前方端は、溝又はリムを形成する内方に曲がった出っ張り３４４で終わる平滑に湾曲した移行部３４２を含む。これはハウジング２９２Ａのリップ２９６を受け入れ、それによって、ハウジングのこの前方部で内シールド部２９４を取り付ける。
【００６５】
可撓性の内シールド部の中間首部３３４は前方部３３２及び後方部３３６と一体に形成され手いるので内シールド部全体は単一のピースである。中間首部３３４は可撓性のダイヤフラム３４８を構成する部分を含む。図９に示すように、ダイヤフラム３４８の休止位置は内シールド部２９４の中央領域にチャンネル３４９を作る。チャンネル３４９は内シールド部２９４の前方部３３２の内部空間９０と連通し、また後方部３３６に構成される捕捉チャンバー領域３５０とも連通している。内シールド部２９４の後方部３３６は、ハウジング２９４Ａからの剛性延長部３０４の円筒形状と補足し合う円筒形状に形成されている。捕捉チャンバー３５０の底には、ダックビル（フラップ）弁３５２の形態の弁機構がある。弁３５２はその頂点に、乳房から絞り出された乳を捕捉チャンバー３５０から導き出すためのポート又はスリット３５３を有する。
【００６６】
内シールド部の後方端は、可撓性の内シールド部の外側に形成された他のリップ又はフランジ３６２が内側壁に、剛性ハウジングの後方端に向かって形成された溝３１２に受け入れられることにより剛性ハウジング内に取り付けられる。内シールド部の後方端はこの溝３１２にに簡単に嵌まり、内シールド部２９４の端に形成されたプル−タブ３５５はこの係合を容易にし、例えば掃除のための、係合外しも容易にする。
【００６７】
前に述べたように、可撓性内シールド部の前方端３３２は内部空間９０内に女性の乳房を受け入れ、乳頭が可撓性ダイヤフラム３４８まで突出し、そしておそらく狭いチャンネル３４９の中へ突出する。正圧流体が第１圧力ポート（再び、図示せず）に付与されたとき、その圧力はチャンネル３１６に、それ故にチャンネル３２０に伝えられ、そして圧力はリップ２９６と可撓性内シールド部３４２との間の隙間３６４に入る。流体の圧力により、剛性ハウジング２９２Ａの内側壁２９３に位置する可撓性内シールド部を点線で示すように、内部空間９０に向かって膨張させ、或いは突出させる。内シールド部２９４の内向きの撓みは揉み作用及び圧縮接触を乳房及び乳頭に与える。それを、シールドを所定の乳房に「合う大きさにする」手段としても使用することができる。
【００６８】
上で分かるように、内シールド部２９４の可撓性ダイヤフラム３３４と蓋２９２Ｂは、第２圧力ポート３２６と連通している包囲されたキャビティ３３０を構成する。第２圧力ポート３２９は、この実施形態では好ましくは、負圧流体源である流体源（図示せず）と連通している。
【００６９】
負圧流体がキャビティに伝えられると、可撓性ダイヤフラム３４８は蓋２９２Ｂに向かって移動され、（乳頭が最初接触していたならば）乳房の乳頭との接触を絶つ。かくして、間欠的な負圧がキャビティ３３０内部空間に生じ、可撓性ダイヤフラム３４８はその負圧を内部空間９０内部空間に吸引として伝え、それによって内部空間内の乳房及び乳頭を引く。乳の搾り出しを更に容易にする乳頭及び乳房の揉み作用も、キャビティ内部空間の真空の解放でダイヤフラムがその休止位置に戻るときに行われる。かくして、ダイヤフラムは、（内部空間９０に付与される）真空源を、絞り出される乳、並びに乳房によって運ばれるかもしれないその他のもの（バクテリヤ）から分離するのに役立つ。絞られた乳はチャンネル３４９を通って捕捉チャンバー３５０へ排出され、弁３５２は、ダイヤフラムがその休止位置に戻るときに発生されるような、正圧により（又は負圧の解放により）収集瓶（図示せず）への乳の排出を制御する。
【００７０】
図１０に注目すると、本発明の乳房シールド３７０のダイヤフラムの第７実施形態が示されている。この実施形態では、乳房シールド３７０は一体の剛性外シールド部３９２と、可撓性の内シールド部３９４と、からなる。剛性外シールド部３９２は、中空円筒体３７２で構成された第１部分と、下方に垂下した管状延長部３７４で構成された第２部分と、を含む。縁と歌い３７２の頂端即ち前方端３７１は外方に延びたリップ又はフランジ３７６を含む。円筒体３７２の下端３７３は、第１部分と第２部分が接合する箇所で中空円筒体３７２の内側壁面３７５から内方に延びる、無い方に突出した出っ張り又はフランジ３７８を含む。管状延長部３７４の下端３７９は収集瓶（図示せず）との取付け用のカラー３８０を含む。カラー３８０の内側面３８１はねじ山３８２を備えるか、周知のように、スナップ嵌め手段（図示せず）のような瓶のためのある他の取付け機構を備えるかのいずれでもよい。
【００７１】
圧力源との連結のための部分３８５が、第１部分３７２と第２部分３７４が互いに接合する箇所で乳房シールド３７０の頂領域に一体に取り付けられている。図１０Ａで分かるように、この部分３８５は、加圧流体を乳房シールドに与える内ポート３８６、３８８を備える。ポート３８６、３８８の機能を、内シールド部３９４の説明の後に以下で詳細に説明する。
【００７２】
内シールド部３９４は上じょうご状部分３９０と、中間首部３９６と、下円筒部分３９５と、で構成されている。上じょうご状部分３９０は、互いに一体に接合された円錐部３９７と管状部３９８とで構成されている。円錐部３９７の外即ち前方周縁は、上じょうご状部分３９７を中空円筒体にこの領域で固着するように、管状リップ３７６にスナップ嵌めする内方に曲げた縁又はリム４００によって構成される。同様に、中間首部３９６は、外シールド部３９２の内部に形成された内方に突出した環状出っ張り３７８に嵌まる環状Ｕ形スターラップ４０２を備えている。
【００７３】
中間首部３９６は内シールド部３９４の中央部分を貫いて延びるチャンネル４０５を構成する可撓性ダイヤフラム４０４を更に含む。チャンネル４０５は、じょうご状部分３９７及び管状部分３９８の内部の領域によって構成された内部空間９０と連通している。狭いチャンネル４０５も、内シールド部３９４の下円筒部分３９５を構成する捕捉チャンバー４０７と連通している。捕捉チャンバー４０７はチャンバーの底に一体に形成された弁４０９を含む。弁４０９は絞られた乳を捕捉チャンバー４０７に通すためのポート４１０を有し、そして図９に示す実施形態に設けられた弁と実質的に似て構成され、従って弁の更なる詳細を提供する必要はない。
【００７４】
捕捉チャンバー４０７の外部には環状突出部４１２があり、これは、取付けカラー３８０より上で延長部３７４の内側壁に形成された環状溝４１５内に差し込む小さいナブ４１３によって構成されている。ナブ４１３と溝４１５は一緒になって内シールド部３９４野下円筒部分３９５を外シールド部３９２内にしっかりと保持する。
【００７５】
内シールド部３９４が外シールド部３９２内に挿入されたとき、乳房シールドの前方部において内シールド部と外シールド部との間に第１環状キャビティ４１４が形成され、内シールド部３９４のダイヤフラム４０４と延長部の上端３７７との間に第２キャビティ４１６が形成される。上述したように、ポート部分３８５は内ポート３８６、３８８を備えている。ポート３８６は出口４１８で第１キャビティ４１４と連通し、ポート３８８は連結用導管３８９を介して第２キャビティ４１６と連通している。第２ポートは負圧流体源に連結され、第１ポート３８６は正圧流体源に連結されるのがよい。変形例として、両方が正圧流体源を備えてもよい。その上、これは上記の実施形態全体に種々適用し、第１キャビティにゲル又は流体（水又は空気）を充填し、使用に先立って、又は使用中ゲル又は流体を加温度してもよい。
【００７６】
第１キャビティ４１４に正圧流体が与えられるとき、内シールド部３９４のじょうご状部分３９７及び管状部３９８は点線で示すように内部空間９０に向かって膨張する。変形例として、第１キャビティ４１４に負圧流体があたえられたら、この同じ部分は中空円筒体３７２の内壁面３７５に向かって吸引される。いずれの適用においても、内部空間９０内に受け入れられた女性の乳房が上じょうご状部分の撓み運動によって揉まれる。
【００７７】
第２チャンバー４１６には負圧が与えられ、従って可撓性の内シールド部３９４のダイヤフラム４０４は、図１０に点線で示すように、延長部３７４の内面３８３に向かって吸引される。これにより、負圧を内部空間９０内へ伝え、図９の実施形態について上述したように、真空機構を乳房シールドからもう一度隔絶するのに役立つ。乳房の乳頭は、上述したように、撓み中ダイヤフラム４０４によって更に揉まれる。絞られた乳は狭いチャンネル４０４を通って捕捉チャンバー４０７に入り、次いで弁４０９を介して、カラー３８０に取り付けられた瓶（図示せず）に導かれる。
【００７８】
図１１は本発明の乳房シールド４２０の第８実施形態を示す。この実施形態では、剛性外シールド部４２３はじょうご状である第１部分を有し、この第１部分は円筒壁部分４３０の前方端４２４に一体に連結された前円錐部分４２２からなる。リム４２１が円錐部分４２２の前の周囲を取り囲む。円筒壁部分４３０の後方端４２６は直径が減じてノズル又は連結体部分４３２を形成する。下方に傾斜した管状部分４３４で構成された、剛性外シールド部の第２部分が円筒壁部分４３０と交差している。連結体部分４３２は環状ポンプカラーで終わっており、この環状カラーは、正圧と負圧の両方を提供する事が出来る流体源に乳房シールドを連結する。
【００７９】
外シールド部４２３は円筒部分４３０の前方端４２４から環状ポンプカラー４３６まで延びる内仕切り壁４３８を更に含む。内仕切り壁４３８は、下方に傾斜した管状部分４３４の内部中心に位置する壁４４０を更に有し、この壁は絞られた乳が、外シールド部４２３内に更に構成されたチャンネル４４８を上方に通るのを抑えるスプラッシュ壁として役立つ。円筒部分４３０の前方端にはスタブ壁４４２があり、これは、内仕切り壁４３８とともに第１圧力チャンネル４４４を構成し、この圧力チャンネルは内シールド部４４７と外シールド部の内側壁との間に構成された内空間４４６と連通する出口４４５を有する。上記のように、分離壁４４０は管状部分４３４の内側壁とともに、第２圧力チャンネル４４８を構成する。第１圧力チャンネル４４４及び第２圧力チャンネル４４８は共通してノズル部分４３２のカラー４３６で終わっている。
【００８０】
可撓性内シールド部４４７もほぼじょうご状をなし、そして外シールド部４２３の前円錐部分４２２と捕捉し合い、且つその円錐部分内に受け入れられた前円錐部分４５０を有する。内シールド部４４７も外シールド部４２３の円筒部分４３０内に受け入れられた管状部分４５１を有する。円錐部分４５０及び管状部分４５１は女性の乳房をうけいれるための内部空間９０を構成する。
【００８１】
円錐部分４５０はリム４２１にスナップ嵌めする環状溝４５４を有し、それによって、内シールド部４４７を乳房シールドの前端で、外シールド部４２３に固着する。管状部分４５１は円錐部分４５０に一体に接合された第１端と、スプラッシュ壁４４０の上流位置で終わる浮動の第２端４５６と、を有する。女性の乳房は内部空間９０の部分内に受け入れられ、乳頭は管状部分４５１の中へ延びる。
【００８２】
管状部分４５１は、それが逆テーパーするように形成された肉厚を有し、逆テーパーは、半径方向横断面厚さが前端から４５６で指示した後方端まで増していることを意味する。テーパーした肉厚は外シールド部の円筒部分４３０の内面４３５と内シールド部の管状部分４５０との間にテーパーした環状空間４５７を形成する。テーパーした環状空間４５７はチャンバー４４６と連通し、また内シールド部の端４５６の近くに位置した排気（通気）ポート４５８と連通している。排気ポート４５８は、以下で説明するように、周りの大気に流体を放出する。
【００８３】
作動中、環状ポンプカラー４３６は複流体圧力源（図示せず）に連結し、第１圧力チャンネル４４４は正圧流体を、テーパーした環状空間４５７に入る前に、チャンネルを介してチャンバー４４６に伝える。テーパーした環状空間４５７に入る流体の初期の正圧上昇は先ず管状部分４５１のテーパー壁の最も薄い部分に接触して、壁を内部空間９０に向かって膨張させる。これは、管状部分４５１に沿って前から後ろに移動する波を形成させることになる。テーパーした環状空間４５７に付与された急速間欠の不連続な正圧流体は、図１１に点線で示すように、加圧流体の各連続する間欠バーストによって形成された１つのローリング波又は一連のローリング波形態を生じさせる。内シールド部４４７の管状部分４５１の肉厚が後方端４５６に向かって増しているので、一連のドーナツ波は大きさ（高さ）が徐々に減少する。流体が間欠的に供給されるので、テーパーに沿う壁の内向きの膨張程度はカスケード又はさざ波の仕方で減少する。正圧は第２端４５６で、排気ポート４５８から大気に放出される。
【００８４】
ポンプカラー４３６に連結された負圧流体源（図示せず）は、分離壁４４０の周りに連通される第２圧力チャンネル４４８内の負圧又は真空を内部空間９０に伝える。負圧は乳房を周期的に引く。絞られた乳は上述の方法で下方に傾斜した管状部分４３４の下端に受け入れられた収集瓶（図示せず）に流入する。
【００８５】
図１２に注目すると、本発明の乳房シールド４６０の第９実施形態が示されている。この実施形態では、剛性外シールド部４６１は２つの部分を有し、その一方はベースプレート４６４を含む取付けベース４６３であり、取付けベース４６３の前方端４６５は片寄ったＵ形リング４７４を有する。傾斜した管状延長部４６７が、（短い円筒体をなす）側壁４７２によって構成された導管４６２と交差する。管状延長部４６７は下端４７０を有し、該下端は、これを取り囲むフランジ４７１を有する。管状延長部４６７の内部４６８の中へ突出する下方に垂下した分離壁４８３があり、この分離壁は１例として、図１１に関して前に説明したように、スプラッシュ壁として役立つ。
【００８６】
Ｕ形リング４７４はねじ山付内面４８２を有する外壁４８０を含み、ねじ山付内面４８２は、図１２のこの剛性外シールド部の他の部分を受ける。部分４９０の閉鎖ベース４８７は、相手のねじ山４７３を介して、ねじ嵌めによりリング４７４内に嵌まる。
【００８７】
関節部４９０は袋状構造物からなる。関節部は女性の乳房を内側壁４８８にそって受け入れるための内部空間９０を構成するほぼ二重壁の裁頭円錐形状を有する。部品４９０の外側壁４９１は前即ち前方丸端５００に沿って内側壁４８８と平滑に接合する。関節部４９０は実質的に剛性プラスチック材料で形成され、且つ一体のものとして形成されるのがよい。明らかなように、関節部４９０は、ポート４９８のところを除いて、閉鎖された内チャンバー４９９を構成する。
【００８８】
関節部は外側に開口した大Ｖ形チャンネル４９２を更に有し、内側壁４８８は、大チャンネルの各側に１つずつ、２つの横方向に間隔を隔てた内側に開口した小Ｖ形チャンネル４９４、４９６を有する。これらの大小チャンネルは関節部の周囲に延びる。圧力ポート４９８は正圧流体源を内部キャビティ４９９に連通させる。これは、例えば、温水、液体ゲル等でよいが、単なる空気ではない。
【００８９】
可撓性内シールド部品４８５が関節部４９０を取り囲み、内シールド部品４８５の上部分５０２は関節部の前端の頂丸縁５００に折り曲げられる。内シールド部品４８５の弾性の性質は内シールド部品を内側壁４８８の内面にしっかりと保持する。可撓性内シールド部品４８５は関節部とほぼ一致するように形成され、かつ下流端４８６を有する。下流端はＵ形リング４７４の内側に位置する。
【００９０】
使用中、負圧流体源（図示せず）は剛性外シールド部品のベースプレート４６４に導管４６２のところで取り付けられ、それによって、真空をスプラッシュ壁４８３と管状延長部４６７の側壁との間のチャンネルを介して内部空間９０へ導く。例えば、正圧流体源がポート４９８を介して関節部４９０の内部キャビティ４９９につながれる。大チャンネル４９２はヒンジとして作用し、それによって関節部４９０の前端５００を点線で示すように外方に撓ませる。小チャンネル４９４、４９６は、側壁のいくらかの膨張を行わせることによって大チャンネルを中心とする袋状構造物の撓みを容易にする。関節部の内チャンバー４９９内の間欠的な正圧は、関節部４９０、それ故に内シールド部品４８５の周期的な撓み運動を生じさせ、これは内部空間９０内に受け入れられた乳房に周期的な揉み作用を行い、それによって乳房から乳の絞りを助長する。同様な方法で、４６２に負圧を使用して周期的な撓み運動を発生させてもよい。乳は次いで真空により分離壁に向かって伝えられ、次いで管状部材４６７を通して下方に伝えられ、ちちは、周知のようにフランジ４７１に連結された瓶（図示せず）に集められる。変形例では、圧力源を小チャンネル４９４、４９６と連結してもよい。これが、例えば、正圧源であれば、小チャンネル４９４、４９６とこれらのチャンネルの上に位置する可撓性内シールド部品４８５との間に形成されたチャンバーを膨張させる。これにより、同様に、前端５００を大チャンバー４９２によって形成されたヒンジで外方に撓ませる。これらのチャンネル／チャンバーに付与された負圧は内方曲げを引き起こす。
【００９１】
図１３は本発明の乳房シールド５０５の第１０実施形態を示す。図１２の実施形態と似たこの実施形態では、２つの部品で作られた外シールド部があり、そのうちの一方は下方に傾斜した管状部材５９８を有するベース部５０６である。管状部材５９８の下端６００は、周知のように中間カラー部材（図示せず）を使用して瓶に連結されるフランジ６０２を備えている。
【００９２】
ベース部５０６の前端５０８が側壁５１４によって形成され、側壁の内面５１５にはねじ山が切ってあって、後述する外シールド部の他の部分５５０を受け入れる。内部肩が５１６に設けられている。側壁５１４と肩５１６との間に、流体連通部材として機能する環状可動Ｕ形カラー５２５が受け入れられる。カラー５２５は肩に当たる環状ベース部材５２７と壁５１４の内部から間隔を隔てた、上方に突出した内リング５２９とで構成されている。
【００９３】
外シールド部の他の部分５５０の内側に、可撓性内シールド部５７０と共同して中央チャンバー又は通路５３１が形成される。環状カラー５２５の底（後方）面に沿うアンダーカット５３３は、すぐに説明するように、ポート５２２に形成された出口５２１を通る流体（空気）流のための導管又は通路を形成し、この連通は可撓性内シールド部５７０の追加の構造物と組み合わせて完成される。
【００９４】
外シールド部のベース部５０６は、また片寄せられたアンダーカット５２０で終わるポート５１８を含み、それによって、ポート５１８の出口を形成する。この出口はこの実施形態では、環状であり、環状部材５９８内の広いチャンネル部５４４へ延びている。ポート５１８のためのこの出口／チャンネルは、取り外し可能なカラー５２５がベース部５０６内に受け入れられるとき、取り外し可能なカラー５２５の底（後部）に形成された環状チャンネル５３５と流体連通する。チャンネル５３５は、カラー５２５の前方側で他の環状チャンネル５３７に通じた貫通穴５３６の形態の１つ又はそれ以上の内部導管を有する。
【００９５】
すぐに明らかになるように、撓む能力を有する半剛性材料で形成された二重壁部材５５０が図１３のこの実施形態の乳房受け部の外シールド部を完成している。部材５５０は外側壁５５２、内側壁５５４、頂き平滑移行面５５６、及び平らなベース面５６０を更に含むネジ山付後方環状首部５５８で構成される。平らなベース面５６０は、取り外し可能なカラー５２５のチャンネル５３７と連通した吸気開口５６２を有する。かくして、部材５５０の側壁内には、ベース部５０６に形成された通路５１８と流体連通した内部チャンバー５６４が構成される。
【００９６】
乳房シールドは、部材５５０内に配置された可撓性内シールド部５７０を更に含む。内シールド部５７０は収縮したステム５８２の中へ延びる広い頂（即ち前方）端５７７を有する。上端５７７は外方に、次いで下方に突出した湾曲部分５８０を有する。図１３に示すように、湾曲部分５８０は、外シールド部５５０の頂移行面５５６の周りにフック止め（スナップ嵌め）しており、それにより、内シールド部を乳房シールドのこの前領域で外シールド部に取り付ける。
【００９７】
ディスク形ベース５９０がステム５８２の底端として一体に形成されている。ディスク形ベースはベース部５０６に形成された他の肩５２３に当たっている底面５９２を有する。取り外し可能なカラー５２５の底面に形成されたアンダーカット５３３とベース部材５９０の頂面５９４との間の距離は、内シールド部の下端が、チャンバー５３１内の正圧（又は負圧）及び又は６０４で付与されるような、環状部材５９８内の負圧のもとに肩５２３に効果的に着座するような距離である。ディスク形ベース即ちディスク５９０の横（半径）寸法形状もポート５２２に通じる通路５３３を得るように選択される。
【００９８】
図１３が更に示すように、内側壁はその上に重なる可撓性シールド部材とともに女性の乳房を受け入れるための内部空間９０を形成する。内部空間５８８が、ディスク５９０の開口５９５で終わるステム５８２に沿う可撓性シールドによって更に構成される。その開口５９５は環状部材５９８の内部６０４と流体連通している。ディスクには、外シールド部内に可撓性シールド部を取り付けるのを容易にするリング状プル５９６が形成されていることに気づくであろう。即ち、外シールド部５５０をカラー５２５と組みたてる。次いで、ステム５８２をプル５９６を介してカラーの中に引き通して、可撓性シールド部５７０を外シールド部５５０に取り付ける。次いでこのユニットになった組立体をベース部５０６に螺合する。
【００９９】
女性の乳房の乳頭はステム５８２の上端で内部領域５８８の前に受け入れられる。しかしながら、乳頭がそれ以上遠くに達する必要はない。気づくように、内部領域５８８は、一端が内部空間９０と連通し、底端５７９が内部６０４と連通している。作動中、正圧流体源（図示せず）及び負圧流体源（図示せず）は外シールド部のポート５１８（正圧）及びポート５２２（負圧）にそれぞれ連結され且つそれらとそれぞれ連通している。ポート５１８からの正圧は、部材５５０の内部チャンバー５６４が正圧流体で満たされ且つ拡張するように、開口５６２を通して伝えられる。内部チャンバー５６４の充填により、側壁５５４を内部空間９０の中へ僅かに撓ませる。
【０１００】
ポート５２２からの負圧は外シールド部の内側壁５５４とステム５８２を構成する内シールド側壁との組み合わせによって形成された内部チャンバー５３１と連通する。これにより、チャンバー５３１を収縮させて領域５８８を拡げる。これは、内部空間９０内に負圧（吸引）を伝え、これは乳房及び乳頭を引くのに役立つ。チャンバー５３１に付与された負圧が解放されると、チャンバーはその休止位置に戻り、乳房／乳頭を潜在的に収縮させ或いはやさしく揉む。乳房受け部の前方部分及び後方部分のこの運動は、所望な方法で時間合わせすることができる、乳房及び乳頭の揉み操作を引き起す。
【０１０１】
本発明の第１１の実施形態６１０を図１４に示す。この実施形態では、外シールド部は再度２つの部分、即ち剛性ベース部６１１と取り外し可能な剛性前方部分６３８とで構成される。ベース部６１１は下方に傾斜した管状部材６１２を有し、管状部材６１２は、Ｕ形チャンバー６１５を構成する環状Ｕ形リング６１４で終わる前方部分６１３を有する。後方部分６２４は、乳収集瓶（図示せず）に取り付けるための雌ねじ６２６を有する環状取付けカラー６２５で終わっている。
【０１０２】
一端が出口６２９で終わっている導管又はポート６３５が円筒側壁構造物６２８によって構成されている。ポート６３５の他端はポンプカラー６３２に通じている。ポンプカラー６３２は、周知のように、手動搾乳器（図示せず）のような搾乳器との連結用の雌ねじ６３３を有している。
【０１０３】
Ｕ形リング６１４は、外壁６１６、内壁６２０及び相互連結用ベース壁６１９で構成されている、（ベース壁には、１つの領域に出口６２９が構成されている）。外壁６１６は平滑な内面６１８を有し、内壁６２０は平らな傾斜面６２２を有している。
【０１０４】
外シールド部の前方部分６３８は側壁６３９で構成された剛性バレル形部分で構成され、側壁６３９はＵ形リング６１４の外壁６１６の内面６１８とプレス嵌めする前方端６４０を有する。バレル部分６３９はボウル即ち円錐形部分６４４に領域６４２で一体に接合される。部分６３９と円錐部分６４４との間の移行箇所は内方に突出した突出部６４６を形成し、この突出部は外部に面した溝６４８を構成する。ボウル部分の前方端は周縁面６５３を有する。
【０１０５】
乳房シールド６１０はまた外シールド部内に受け入れられた可撓性内シールド部６５６を有する。内シールド部６５６は側壁６７４によって構成された円筒部分で構成され、側壁６７４はバレル形側壁６３９から間隔を隔てた関係にあり、それによって、キャビティ又はチャンバー６７０を形成する。円筒部分の側壁６７４の後方端６５８には、Ｕ形チャンネル６１５内に受け入れられたベース出っ張り６６２が形成されている。ベース出っ張り６６２は、Ｕ形リング６１４の傾斜内壁６２０に及び側壁６３９の内面に摩擦嵌めされる傾斜壁６６４を有する。ベース出っ張り６６２には貫通穴としてポート６３７が形成されている。内シールド部６５６の側壁６７４によって構成された円筒部分の前方端６６０は内向きの突出部６４６に受け入れられる溝６６５を備えている。これは圧嵌めを形成し、且つ内シールド部６５６をこの領域に位置決めする。内シールド部６５６の円筒部分は、下方に傾斜した管状部材６１２の内部６７２と連通する内部空間９０を構成する。内シールド部６５６のじょうご部分６６７はボウル部分６４４の内面にぴったりと接触している。じょうご部分６６７は、ボウル部分６４４の周縁面６５３に受け入れられる、内シールド部６５６をこの領域で取り付けるための外方に延びたリップ６６９で終わっている前方端６６８を有する。
【０１０６】
可撓性内シールド部６５６の側壁６７４の外側に面した面はまた外側に延びるビード６８０を有し、該ビードはもう1つのビード６８０から横方向に間隔を隔てている。ビードの機能を以下で説明する。内シールド部のじょうご部分６６７はまた女性の乳房を受け入れる内部空間９０の一部をけいせいする。乳房の乳頭は、じょうご部分６６７内に受け入れられたとき、環状突出部６４６を超えて延びる。
【０１０７】
作動中、真空源（図示せず）をポンプカラー６３２に、或いはチューブを介してポート６３５に連結して負圧流体をチャンバー６７０に伝える。第１ビード６７８及び第２ビード６８０は、一連の遮断として機能する。キャビティ６７０に最初に付与された負圧により、可撓性内シールド部の側壁６７４を、剛性の外シールド部側壁６３９に向かって吸引させる。これは図に点線でしめされており、第１ビード６７８が側壁６３９の内面に接触する。真空が高まると、次いで、第２ビード６８０が側壁６３９の内面に接触する。この結果、内チャンバー９０の徐々の拡張が乳房受け部の前から後ろに及ぶ。これを負圧の解放で間欠的に行うことができ、或いは正圧の付与で交互に行い、それによってチャンバー６７０を拡張させ且つ又その中の乳房／乳頭を圧縮することができる。
【０１０８】
本発明に従って作られた第１２実施形態７０２を図１５に示す。分かるように、剛性外シールド部はじょうごのように構成され、円筒部分６９６に一体に連結された円錐部分６８６を有し、円筒部分６９６は、形状がほぼ管状であるベース部７０８で終わっている。円錐部分の第１端６８８は直立リム又はリップ６９２によって構成される。傾斜管状部材７０８の底端７１０は、周知のように、カラー（図示せず）を介して乳収集瓶に底端を取付けるためのリング７１２を有する。管状部分の内部は７１４で指示され、そして側壁７０７の内面に取り付けられた下方に垂下した分離壁又はスプラッシュ壁７１６を有する。側壁７０７は圧力チャンネル又はポート７０６を更に構成する。前の実施形態におけるように、管状部分の内部７１４はポート７０６を介して負圧源（図示せず）と連通している。
【０１０９】
側壁６９６によって構成された円筒部分はまた側壁内面６９８に形成された内管状肩７００を有する。肩７００はホルダー部材７２６を受ける。ホルダー部材７２６は、管状棚７００で受けられる底端７２９を有する内側壁７２８と、短い外壁７３０と、を有し、この外壁は、リップ６９２の端面６９４に当接する外側に延びる周囲リム又は棚７３２を有する。短い壁７３０の底端７３４は円錐部分６８６の内側で肩６８９まで延びている。壁７２８と７３０との間に環状窪み７３８が延びている。
【０１１０】
ドーナツ形ゲルパック（或いは空気又は水若しくは発泡体を入れたパック）が窪み７３８内に受け入れられる。ドーナツ形ゲルパック７４０は、すぐに説明するように、可撓性内シールド部７３５によって窪み内に保持される。
【０１１１】
可撓性内シールド部７３５は、湾曲部７４２へ延び且つ外側壁７４３で終わっている内側壁７４１で構成される。可撓性内シールド部７３５は一体物として作られる。内側壁は、後ろから前に移動するにつれて肉厚が僅かに増大していることに気づくであろう。湾曲部７４２は乳房受け部への開口を形成する。可撓性内シールド部７３５は、ゲルパック７４０を窪み７３８内に保持して、ホルダー部材７２６及び剛性外シールド部に嵌まる。
【０１１２】
もう一度、可撓性内シールド部は女性の乳房を受け入れる内部空間９０を構成する。内部空間９０はポート７０６を介して負圧源と流体連通している。可撓性内シールド部の後（下流）端は側壁６９６の内面に密着する。
【０１１３】
ホルダー部材７２６はここでは剛性片として示されている。しかしながら、ホルダー部材は、その形状を支持し且つゲルパックを位置決めするに十分堅く、しかし圧力でいくらか移動可能にするに十分撓わめる半可撓性材料で形成されるのがよい。その圧力はホルダー部材７２６と剛性外シールド部の円錐部分６８６との間に構成されたチャンバー７２５内に付与されるだろう。その圧力は希望に応じて正圧でもよいし負圧でもよいし、側壁６８６に設けられたポート（図示せず）から付与されるはずである。
【０１１４】
正圧のような圧力が、ゲルパックの置かれているキャビティ内にも与えられ、或いはゲルパックそれ自体にも与えられる。可撓性シールド部の両端が適当に固定され、可撓性部材の壁の湾曲領域７４２が適当に薄くされると、ゲルパック部分を、点線で示すように膨張収縮するようにすることができる。簡単な中空チャンバーでのゲルパック７４０の利点は、ゲルパックを温かくしたり冷たくしたりすることができ、温度変化の追加的な治療効果を乳房シールドに加えることである。
【０１１５】
本発明の第１３実施形態７５０を図１６に示す。もう一度、外シールド部は２つの剛性片で構成される。一方は下方に傾斜した管状部材７５９を有するベース部７５８である。下方に傾斜した管状部材７５９の底端７６０は、周知のように、乳収集瓶（図示せず）との取り付け用の雌ねじ７６３を有する環状取付けカラー７６２を含む。ベース部７５８の前方端には短い円筒部７５２がある。ベース部７５８には内側壁７６６と外側壁７６７によってポート７７０が構成される。そのポート７７０は７６８に出口を有する。７６９で指示した、側壁７６７の前方外側には、短い円筒部７５２から内方に間隔を隔てた側壁７８５と関連して雄ねじが設けられており、側壁７６９、７８５は一緒になって連続取付けカラーを形成する。このカラーは、ほぼ円筒カップ７８８の形態をなした、剛性外シールド部の他の片を受ける。カップ７８８は剛性外ベース部の後方端７９０の環状カラーとのねじ連結部を有する。剛性外シールド部のカップ７８８及びベース部７５８には可撓性内部材７８４が取り付けられている。内部材７８４の内部構造をもっと詳細に説明する。しかしながら、一般的には、それは剛性連結用リング８００に固定された周縁７９５を有する。繋ぎリング８００は外ビード８０４を有し、外ビードは、カップ７８８の前方端に形成されたそれと捕捉し合う形状の溝７９６に受け入れられる。この連結は可撓性内部材、即ち内シールド部７８４を乳房受け部の前方端に位置決めし且つ取り付けるのに役立つ。可撓性内シールド部７８４の後方（下流）端は、短い円筒部７５２の外側に嵌まるカラー状構造体７６５で終わる。フランジ又はリム７７１がカラー構造体７６５の開口から延び、カップ７８８の内側に延びるフランジ７に当接する。これは可撓性内シールド部を更に固定し且つ位置決めするのに役立つ。
【０１１６】
図１６のこの実施形態では可撓性内シールド部のための二重壁構造体が設けられている。しかしながら、正圧／負圧を受けるべき単一のチャンバーを構成するのではなく、この可撓性内シールド部は、図１６Ａからも最も良く見られ且つ理解される３部分の部材に形成される。内シールド部７８４は３つの別々の内側壁７８０、７８２、７８５によって形成され、これら内側壁は一緒になって単一内シールド部を形成する。側壁７８８の内面７９８と各内側壁７８０、７８２、７８５の内面との間の空間は３つのチャンバーを形成し、チャンバーは互いに連通していてもよいし、或いは完全に別々なチャンバー８０６、８０８、８１０であってもよい。そのように別々の場合には、各チャンバーの独立の圧力調整を可能にするために、ポート７７０に追加のポートを設けてもよい。
【０１１７】
休止状態、即ち例えば、チャンバー８０６、８０８、８１０が負圧下に内部空間状態では、３部分可撓性内シールド部７８４によって作られた乳房受け部は図１６及び１６Ａに示す通りになる。これは、収縮したステム部８１２へ延びる短い円錐前部になる。かくして、内部空間９０は初期にはそのように構成される。ステム通路８１２は管状部材７５８の内部８１５と流体連通している。
【０１１８】
作動中、負圧流体源が圧力ポート７７０に連結され、それによって、剛性外部材７８８と組合わせて可撓性内シールド部７８４によって形成された３つのチャンバー８０６、８０８、８１０と連通する。負圧源の間欠付与により、３つのチャンバーの周期的な収縮と膨張を引き起し、女性の乳頭に乳児の吸乳作用を刺激し、それによって乳の搾り出しを高める。明らかなように、かくして、発生させた負圧はステム８１２及び内部９０の残部に伝えられ、その中の乳房及び乳頭を引く。絞り出された乳は通路８１２を通して傾斜した管状部材７５８の内部８１５に流入し、そして取付けカラー７６２に取り付けられた収集瓶（図示せず）に達する。この実施形態を独立に加圧され且つ制御されるチャンバー８０６、８０８、８１０で作動すると、例えば、乳房受け部の軸線を中心に回転する運動により、乳房及び乳頭の所望な操作の更なる可能性を開く。
【０１１９】
本発明の乳房シールドの第１４実施形態が図１７に示され、そしてこれは前の図１６の実施形態と似ている。外シールド部はベース部８２２及びカップ形片８７５を有するツーピース剛性構造体である。搾乳器（図示せず）との取り外し可能な連結用のねじを含む一体取付けのポンプカラー８２４がある。ベース部８２２の前方端は、外側壁８３２、内側壁８２８及び相互連結用ベース壁８２６を含む一体形成のＵ形リング８３０を有し、これらの壁は一緒になってＵ形チャンネルを構成する。外側壁８３２は、以下に説明する方法で、カップ片８７５の取り付け用のねじ付内面８３１を有する。
【０１２０】
ベース部８２２にはポート８５２が形成され、このポートは少なくとも１カ所８５３でＵ形チャンネルのベース壁８２６に通じる出口を有する。正圧又は負圧流体源が圧力ポート８５２に連結され、そして後で説明するように、Ｕ形リング又はチャンネル８３０に流体が運ばれる。
【０１２１】
剛性外シールド部のベース部はまた下方に傾斜した管状部材８５５を有する。管状部材８５５は、短い延長部８６５で終わる底端を有する。延長部８６５には、米国特許第４，９２９，２２９号に示されているような弁組立体が取り付けられる。勿論、このような弁組立体はここに説明する他の実施形態にも用いられる。瓶（図示せず）との取付けようの雌ねじ８６７を含む取付けカラー８６６がある。管状部材の内部を８５７で示す。
【０１２２】
カップ片８７５は側壁８７２で形成される。その後方端はＵ形リングの壁８３２のねじ付内面に螺合するための雄ねじ部分８７４を含む。カップ片８７５の前方端、剛性リング形繋ぎ部材８８４の内面から突出したビード８８０を受け入れるための、側壁８７２の内面に形成された溝８７８を有する。剛性繋ぎ部材８８４は、外シールド部のカップ片のタイプと同じか均等であるタイプのプラスチック材料で作られるのが好ましく、そして可撓性内シールド部８８６に恒久的に取り付けられる。
【０１２３】
可撓性内シールド部８８６は、繋ぎ部材８８４から前方湾曲部分８９２へ延び、それから内側壁８９８へ延びる単一壁部材で構成される。第２剛性リング形繋ぎ部材８９０が側壁８９８の後方（下流）端に取り付けられる。剛性繋ぎ部材８９０はベース部のＵ形チャンネル内に受け入れられて滑り係合で側壁８２８の内面に接触する。剛性繋ぎ部材８９０はベース部のＵ形チャンネル内のカップ片側壁８７２から間隔を隔てていて、出口８５３と連通した空間を残している。その空間はカップ片側壁８７２と可撓性内シールド部８８６との間に構成されたキャビティ又はチャンバー８３３に通じている。可撓性内シールド部８８６の側壁８９８は再度、女性の乳房及び乳頭を受け入れる内部空間９０を構成する。
【０１２４】
乳房シールド８１７は可撓性ダイヤフラム９１０を更に含む。ダイヤフラムは前端９１２と円筒体を形成する側壁構造体９１３とを有し、円筒体はこの前端９１２が閉鎖されている。この円筒体には僅かに凹んだ部分があり、これはベース部の管状部分８５５の頂（上流）端へ導く領域の上に位置する。これは、まもなく明らかになるように、乳を管状部分８５５へ流入させるのに役立つ。ダイヤフラムの後方端はフランジ状延長部９１７を含み、これはダイヤフラムをカラー８２４の前方端に着座させるのに役立つ。ダイヤフラムの内部空間を９１９で示す。
【０１２５】
図１７のこの実施形態の作動に転じる前に、可撓性内シールド部８８６が内側に面した波形面を有していることがわかる。これは、内部９０に沿って山と谷構造体を形成する厚い円周領域８９７で形成されている。
【０１２６】
作動中、正圧及び又は負圧流体源がポート８５２に（図示しないが、容易に理解される連結部を介して）連結される。負圧（吸引）が通常の方法でポンプカラー８２４につながれる。ダイヤフラムの内部９１９に付与された負圧は間欠的であり、ダイヤフラム９１０の周期的な収縮及び膨張を引き起し、内部空間９０内に真空が作られ、この真空は内部空間内の乳房及び乳頭に作用する。かくして、ダイヤフラムはカラー８２４に付与される真空源を乳供給から隔絶するのに役立つ。このタイプのダイヤフラム及びその作動の更なる詳細は米国特許第５，９４１，８４７号から収集することができる。乳は凹み部分９１４の下を流れて管状部分８５５に流入し、それ故に収集瓶に至る。
【０１２７】
圧力ポート８５２に伝えられた正圧及び又は負圧により、チャンバー８３３の体積を膨張又は収縮させる。これにより、可撓性内シールド部側壁８９８を内部空間９０内の乳房及び乳頭に対して内方に又は外方に移動させる。撓み作用は出っ張り８９７を乳房及び乳頭に押しつけ、それによって乳房を門でちちの搾り出しを容易にする。
【０１２８】
本発明に従って作られた第１５実施形態９５０を図１８、１９、及び２０に示す。この実施形態の乳房シールド９５０は、じょうご部分９５２、円筒部分９５６、及び管状部材９７８で構成された単一片の剛性外シールド部を有する。じょうご部分の周囲はフランジ又はリム９５４で構成されている。円筒部分９５６と管状部材は両方とも、以下で詳細に説明するように、一体に形成されたバレル部分９６２と連通する。傾斜管状部材９７８は、周知のように、取付けカラー（図示せず）で乳収集瓶を取り付けるための取付けリング９８２を含む底端９８０を有する。傾斜管状部材９７８は、管状部材９７８内に真空通路９８６を構成する分離壁又はスプラッシュ壁９８４を更に含み、管状部材の内部を全体的に９８８で示す。
【０１２９】
バレル部分９６２はポンプとの取付け用のポンプカラー９６４を含み、ポンプは電動搾乳器にするつもりではあるが、手動（手動往復ピストンタイプ）ポンプでもよい。ポンプカラー９６４は２つの通路又はポートを構成し、そのうちの１つはポート９６８であり、もう１つはポート９６６である。ポート９６６は出口９９０を介して真空通路９８６と連通する。ポート／通路９６８の前方端は出口９７２で終わっている。
【０１３０】
図１９を参照すると、ポート９６８は実際には、バレル部分９６２内に形成された３つの圧力ポート／通路９７４、９７５、９７６を含むことが分かるであろう。これらのポート／通路の特徴はすぐに明らかになろう。
【０１３１】
可撓性内シールド部９９３はまたこの実施形態の乳房シールド９５０を形成し、この実施形態では、可撓性内シールド部は剛性外シールド部内に摩擦的に挿入される。可撓性内シールド部９９３は可撓性円錐部材９９２及び管状延長部９９６で構成され、これら円錐部材と管状延長部は一緒になって内部空間９０を構成する。円錐部材９９２の前方端は管状リム９９８によって構成された周縁を有し、管状リム９９８は下方に延びたリップ９９９を有する。リム９９８はフランジ９５４に受け入れられて可撓性内シールド部を乳房シールドの前に固定し且つ位置決めする。図１８で分かるように、管状延長部９９６は側壁９５７、９５８の内面に当接するように寸法決めされた後方端で終わり、側壁９５７、９５８はこの領域で剛性外シールド部を構成する。この摩擦係合はこの領域で管状延長部９９６を固定し且つ位置決めするのに十分である。
【０１３２】
図１９Ａ、２１、２２で最も良く分かるように、内シールド部はまた管状延長部に一体に形成された分配マニホルド部材１００を含む。分配マニホルド部材１００は、第１環状チャンネル１００８、第２環状チャンネル１０１０及び第３環状チャンネル１０１２と連通する第１チャンネル１００２、第２チャンネル１００４及び第３チャンネル１００６を含む。各チャンネル１００８、１０１０、１０１２は内シールド部の残部よりも薄い肉厚を有する（図１８参照）。チャンネル１００８、１０１０、１０１２の肉厚及び形状はこの実施形態の作動で説明される機能面を有する。図１８で最も良く分かるように、例えば、第１環状チャンネル１００８及び第２環状チャンネル１０１０は互いに長手方向に間隔を隔てており、そして管状延長部９９６に沿って配置され、第３管状チャンネルは１０１２は円錐部材９９２内部空間に形成される。
【０１３３】
各環状チャンネルは、内シールド部構成部品と外シールド部構成部品が組み合わされるとき、それぞれの環状空気チャンバー１０１４、１０１６、１０１８を形成する。図１８で最もよく分かるように、内シールド部が外シールド部に挿入されるとき、分配マニホルド部材１００がそれぞれの第１通路１００６、第２通路１００４、第３通路１００２を経て圧力ポート９７４、９７５、９７６に連結される。
【０１３４】
作動中、負圧流体源（図示せず）はポンプカラー９６４に連結され、負圧が内チャンバー９６６に伝えられ、内チャンバー９６６は真空を出口９９０を介して、遂には内部空間９０へ伝える。負圧及び又は正圧流体源もポート９６８につながれる。これは３つのチャンバー１０１４、１０１６、１０１８に同時に作動する単一の源であっても良く、或いは複数の圧力源がそれぞれのポート９７４、９７５、９７６に連結される。この開示全体を通して、この様な複数の圧力源を、圧力を分割し、並びに独立に制御して、単一の真空／正圧源から得てもよいことが理解されよう。真空が第１圧力ポート９７４、第２圧力ポート９７５、第３圧力ポート９７６を通して与えられると仮定すると、真空は分配マニホルド１０００のそれぞれの第１通路１００２、第２通路１００４、第３通路１００６を通して伝えられ（図１９Ａ参照）、分配マニホルドはチャンバー１０１４、１０１６、１０１８内に真空を引く。
【０１３５】
真空は薄肉の環状チャンネルを点線で示す位置に、即ち外側に引く。従って、付与される間欠的な真空（真空の解放で）はチャンバー１０１４、１０１６、１０１８を構成する側壁の周期的な撓みを引き起こす。内部空間９０内に受け入れられた女性の乳房は第３環状空気チャンバー１０１８の撓み作用によって揉まれ、乳頭は第１環状空気チャンバー１０１４及び第２環状空気チャンバー１０１６の撓みによって揉まれる。各チャンバーへの圧力の独立の制御で、チャンバーの作動順序、並びにこれらのチャンバーの側壁が、該側壁によって乳房及び乳頭に及ぼされる正圧の制御により乳房又は乳頭を動かしている触覚感覚の量について色々なパターンを得ることが出来る。
【０１３６】
図２０には本発明の乳房シールドの第１６実施形態が図示されている。この実施形態は図１８、１９、１９Ａ、２１及び２２の前に提示した実施形態と大変似ており、従って、剛性外シールド部の説明は行わない、と言うのは、実施形態が今説明した実施形態と構造的に同じであるからである（同じ数字は再度同じ部分をさす）。しかしながら、前の内シールド部と本内シールド部との間にはある構造状の違いがある。
【０１３７】
この実施形態１０２０では、内シールド部は、前の実施形態の幾分球根状の内方に延びた環状チャンネルの代わりに、第１環状空気ダクト１０２２、第２環状空気ダクト１０２４、第３環状空気ダクト１０２６を備えている。各空気ダクトは、前に説明した環状チャンネル１００８、１０１０、１０１２とほぼ同じ相対位置で内シールド部を形成する側壁内に長方形横断面の環状キャビティを設けることによって形成される。しかしながら、実際の横断面キャビティは大変顕著ではない。ダクトは可撓性内シールド部の側壁１０２８をダクトにわたって薄くするように形成され、かくして、ダクト領域に、図２０に示す位置に１０３２で指示した通常の厚さよりも薄い横断面肉厚を残す。各空気ダクトの位置は前の実施形態に設けられた環状チャンネル１００８、１０１０、１０１２の位置に相当する。
【０１３８】
図２０の実施形態は、正圧流体源がダクト１０２２、１０２４、１０２６に付与されるようになっていることを除けば、前に説明した実施形態と同じ方法で機能する。この結果、ダクトにわたって側壁を内方に（内部空間９０の中へ）膨らませ、図２０に点線で示すように環状の出っ張りを作る。再度、タイミング及び量が更に修正され、且つ制御される正圧流体の間欠的な供給は内部空間９０に向かったり遠ざかったりする円筒撓みを生じさせ、それによって揉み効果を行わせる。
【０１３９】
図２３に注目すると、本発明の乳房シールドの第１７実施形態１０３５図２３に示すように、剛性外シールド部は円筒部分１０４５に一体に接合された前円錐部分１０３６を含み、１０４２で指示した内側壁面を有する。円錐部分１０３６の前端は平滑なリップ又はリム１０４１で終わっている。
【０１４０】
図２３のこの実施形態における可撓性内側壁（一方の側だけを横断面で示す）は、一緒になって内部空間９０を構成する円錐部分１０５５及び管状部分１０５６で構成される。円錐部分１０５５は女性の乳房を受け入れ、管状部分１０５６は乳頭を受け入れる。円錐部分１０５５の前端は幾分厚いビード状周囲１０６０で終わっていることが分かる。この周囲ビードは剛性円錐部分１０３６のリム１０４１に当たる。管状部分１０５６の他端即ち下流端は円筒部分１０４５内に緩く受け入れられる。
【０１４１】
出口１０６６が可撓性内シールド部の円錐部分５５を構成する壁に形成され、そして周囲ビード１０６０と半径方向内側に形成され且つそれと同心のもう１つの円周ビード１０６８との間に構成されたチャンネル１０６７へ延びる。図で分かるように、可撓性内シールド部が剛性外シールド部内に挿入されるとき、両者の間に、リム１０４１とビード１０６０との界面の所を除いて、可撓性内シールド部の実質的に全長に沿って空間１０７０が形成されている。
【０１４２】
乳頭に接触するようにした円周出っ張り１０７２が管状部分１０５６の内側壁に沿って形成される。
【０１４３】
作動として、内部空間９０と空間１０７０の両方が真空下にあるように、負圧流体源（図示せず）が前に説明し、或いは同様に知られた手段によりもうけるべきであることは予想される。内部空間９０内部空間に受け入れられた女性の乳房は吸引を受ける。負圧も空間１０７０に及び、チャンネル１０６７で乳房のまわりにシールを作る。乳房に及ぼす吸引と関連して空間１０７０内部空間に与えられる負圧により、可撓性内シールド部の管状部分１０５６を真空源に向かって、即ち使用者の乳房から軸線方向に遠ざかる方向に吸引させる。図面はこれを点線で示し、管状延長部の端１０７３は図示したように移動する。内シールド部の管状部分１０５６の内面に設けられた突出部又は出っ張り１０７２も同じ伸び位置まで移動し、「チャイニーズフィンガーグリップ効果」として特徴付けられているもの出ある点で、乳頭を引く。
【０１４４】
図２５、２４Ｂ、２４Ｃに移ると、図２５には、図２３の形態の変形例が示されている。一連の無秩序に位置した中実の又は変形例として気泡タイプの突出部が可撓性内シールド部の円錐部分１０５５及び管状部分１０５６全体に設けられる。この実施形態では、突出部は卵形を有し、各突出部の物理的な大きさは変えてもよいので、第１列の大きい卵形突出部１０７８は同じ半径平面に沿って設けられる。大きい卵形突出部１０７８の位置間には中間の大きさの卵形突出部１０８０が配置され、その各々もそれぞれの同じ半径平面に沿って設けられる。同様に、突出部は徐々に小さくなっていて、円錐部分１０５５から管状部分１０５６まで順次延びる一連の半径平面に沿って設けられる。先に述べたように、可撓性内シールド部と剛性外シールド部との間の空間１０７０には負圧が与えられ、それにより、内シールド部を長手方向に伸長させる。かくして、突出部の形状、配列、位置に応じて、また突出部が中実であるか気泡形態であるかに応じて、内部空間内に配置される乳房及び乳頭が僅かに異なる揉み効果を受けるであろう。これらの突出部の他の実施形態への適応は理解されよう。
【０１４５】
図２４Ｃは気泡タイプ構造を示す。図２４Ｂは１０７８‘および１０８０’で指示した中実の突出部を利用する。
【０１４６】
図２６にはこの同じ形態についての他の変形例が示されており、この変形例では、リング突出部が採用される。これらのリング突出部は円錐部分にリング１０８４、中間リング１０８６を含み、中間リング１０８６の下流にリング１０８８があり、このリングは管状部分１０５６の前方端で始まる。リング１０８４、１０８６、１０８８は中実突出部でもよいし、空気チャンバーとして設けられても良く、若しくはその両方の組み合わせでもよい。真空源が内シールド部と外シールド部との間の空間１０７０に適用されるとき、内シールド部は再度女性の乳房から長手方向に遠ざかるので、リング（中実に突出するかチャンバーをなすか）は内部空間９０内部空間に受け入れられた乳房及び乳頭の同時揉みを引き起こす。リング１０８４に近い円錐部分の横断面図を図２４Ａに示す。
【０１４７】
図２６の実施形態の更に他の変形例を図２７に示す。この例では、一連の間欠的な又は不連続なリングが設けられる。これらのリングはまた雄セグメント及び雌セグメントとして交互に設けられ、即ち一方のセグメントは内側に延び、他方のセグメントは外側に凹まされる。雄セグメント１０９０は突出部を呈し、雌セグメント１０９１は乳房に対して凹みを呈している。セグメントは、セグメント１０９２、１０９３で示すように、徐々に小さくなるのがよい。
【０１４８】
図２８には本乳房シールド１０９５の第１８実施形態が示されている。この実施形態では、剛性外シールド部は、前方リム又はリップ１１００をもった円錐部材１０９６を有し、剛性外シールド部の下流端の詳細は省かれている、何故ならば任意の数の上記実施形態が同じものを供給するからである。図２８のこの実施形態によって与えられる違いは外シールド部の一方の側に設けられた圧力マニホルド１１１０であり、これは第１入口ポート１１１２、第２入口ポート１１１４、第３入口ポート１１１６を含む。入口ポートの機能はまもなくより詳細に説明される。
【０１４９】
図２８の乳房シールド１０９５はまた可撓性内シールド部１０９４を含み、この内シールド部は、この実施形態では、厚い円周及び阿賀手方向リブ状構造体のスケルトンフレームで形成されている。可撓性内シールド部１０９４は管状延長部１１２６へ一体に延びる円錐部分１１２０で構成されている。各部分１１２０、１１２６は形状が剛性外シールド部の円錐部分１０９６及び円筒部分１１０３にほぼ補足し合う。
【０１５０】
スケルトンフレームは一般的には、外シールド部の内側壁と係合するように形成され、且つ一連の長手方向に間隔を隔てた円周又は周囲リブ１１５２、１１５４、１１５６、１１５８、及び長手方向に延びた補剛リブ１１６０、１１６４、１１６６で構成されている。
【０１５１】
可撓性内側壁１０９４が外シールド部内に挿入されるとき、可撓性内シールド部１０９４のリム１１３３はリム１１００に係合して内シールド部をこの接合部で固定する。間隔を隔てた円周リブ１１５２、１１５４、１１５６、１１５８は、剛性外シールド部の管状部分１１０３を構成する、側壁の内壁面に気密シールを形成する。リブ間に存在する空間は複数の別々の圧力チャンバー１１６９、１１７１、１１７３を形成する。各圧力チャンバー１１６９、１１７１、１１７３はそれぞれ、圧力マニホルド１１１０の第１入口ポート１１１２、第２入口ポート１１１４、第３入口ポート１１１６と連通している。かくして、圧力マニホルド１１１０に与えられる正圧流体源（図示せず）は、各圧力チャンバー１１６９、１１７１、１１７３と対応する可撓性内シールド部を、例えば、図２０のドーナツ状と同じドーナツ状をなして内部空間９０の中へ膨張させる。負圧流体源（図示せず）が周知の方法で内部空間９０に与えられるので、内部空間９０に受け入れられた乳房に作用する吸引と膨張した形体で乳房及び乳頭に付与された正圧との組み合わせが乳房と乳頭を同時に揉んで乳の搾り出しを容易にする。変形例として、また、圧力マニホルドを介して真空を引くことができ、それによって、この方法で真空源を乳房から隔絶する。長手方向の補剛リブ１１６０、１１６４、１１６６は高さが円周リブよりも半径方向に低いことが気づかれるであろう。補剛リブは可撓性内シールド部がその長手方向長さにそって接触又は拡張する傾向を減ずるのに役立つ。
【０１５２】
他の実施形態を図２９乃至３４（及び３４Ａ及び３４Ｂ）に示す。この実施形態１２００は、ベース部であるもの１２０１と乳房受け部であるもの１２０２との２つの主ピースで構成された剛性外シールド部を有する。可撓性内シールド部を１２０４で指示する。
前方円錐部分１２０７及び僅かにテーパした管状部分１２０８が乳房受け部１２０２を作り上げる。この乳房受け部１２０２はベース部１２０１の補足し合う形状の管状部分１２１０でベース部１２０１とスナップ係合する。スナップ係合をこのあとで説明する。受け部の管状部分１２０８の下流端のマウントを形成するベース部の管状部分１２１０はカラー１２１２の中へ延び、手動ポンプが、例えばネジ山１２１４によりネジ山付係合部を介してカラー１２１２に取り付けられる。電動式ポンプをカラー１２１２にチューブを介して連結してもよく、この係合部を以下で更に説明する。ベース部１２０１はまた通常の仕方で瓶との連結のためのカラー１２１６を有する。
【０１５３】
ベース部１２０１はカラー１２１２に形成された第１横ポート１２１８及び第２ポート１２２０を有する。図３１で分かるように、例えば、これらのポート１２１８、１２２０とカラー１２１２の開放端から前後方向に延びるトラフ又はチャンネルとして始まり、以下で説明するように、ベース部の更なる構造体内に延びるそれぞれの貫通穴１２２２、１２２１で終わる。
【０１５４】
ポート１２１８、１２２０に加えて、ポート１２３０（図３１）がある。ポート１２３０は乳房受け部の内部空間９０（図３２）の中へ延び、そして内部空間９０内の乳房及び乳頭に主たる負圧（吸引）を与える。ポート１２１８、１２２０はそれらのそれぞれの貫通穴１２２１、１２２２を経て、ベース部１２０１に形成されたそれぞれの通路又は導管の中へ延び、この通路又は導管はポート／貫通穴１２２０／１２２１用に１２３３で指示され、示されてはいないが、同様の導管が他の側にポート／貫通穴１２１８／１２２２用に設けられている。この特定な実施形態にしよされる成形法の結果、キャップ１２３５がこれらの導管の外側を閉じる。導管１２３３は、管状部分１２１０を構成する側壁の内部出口（図示せず）で終わっている。
【０１５５】
上記の内部出口は、乳房受け部１２０２が管状部分１２１０に取り付けられるとき、乳房受け部１２０２の管状部分の後方端に形成された穴１２３８と整合する。その取付けは、可撓性内シールド部１２０４を乳房受け部１２０２内に挿入して可撓性内シールド部１２０４を乳房受け部１２０２内に置くことによって行われ、可撓性内シールド部の前方端のビード状リム１２４１が乳房受け部の前方端のフランジ又はリム１２４１にスナップ嵌めする。可撓性内シールド部の後方部分は溝１２４２及び末端ビード１２４３を有し、溝及びビードは、可撓性内シールド部が折り返されるとき（図３０及び３２参照）、乳房受け部１２０２の下流端のビード１２４４及び溝１２４５にそれぞれ受け入れられる。これはまた可撓性内シールド部を剛性乳房受け部１２０２及びベース部１２０１の相互連結部におけるガスケットとして使用するのに役立つ。
【０１５６】
図３２に示すように、可撓性内シールド部１２０４は内側壁１２５０と外側壁１２５１を有する二重壁構造体で作られている。外側壁１２５１には、剛性外シールド部１２０２の側壁に形成された穴１２３８と連通する１つ又はそれ以上の穴１２５４が設けられている。この二重壁構造体は可撓性内シールド部１２０４のチャンバー１２５５を作る。側壁１２５１は変形例として除去されてもよい。
【０１５７】
図３４、３４Ａ、３４Ｂを参照すると、圧力源をこの実施形態の乳房シールドに連結する際に使用される連結具１２６０が示されている。連結具は側方通路１２６１、１２６３と中央通路１２６２とを有する構造体からなる。ポート／貫通穴１２１８／１２２２、１２２０／１２２１及びポート１２３０内に受け入れられるべく寸法決めされ且つ１２７０１２７１及び１２７２でそれぞれ指示された前方連結体がある。反対側の端にはチューブで適当な圧力源との連結のためのニップルが形成されている。
【０１５８】
連結具１２６０をカラー１２１２内に置くと、圧力源を内部空間９０及びチャンバー１２５５に色々に連結することが出来る。例えば、負圧源を連結具１２６０の上記のチューブ連結部の各々に連結することができる。この結果、乳房は内部空間９０の中へ吸引によって引き込まれる。同時に、例えば、チャンバー１２５５の体積を減じ、それによって側壁１２５０を半径方向外方る吸引する。
【０１５９】
水、ゲル、空気、等で満たされた後、チャンバー１２５５を恒久的にシールする目的で、製造の際に使用するこめの一体成形のプラグ１２７０が設けられる。正圧が内チャンバー１２５５に付与されたら、有利には、剛性スナップリングがリム１２４０及び１２４１にかぶせて使用される。
【０１６０】
図３３は前の実施形態の乳房受け部１２０２の変形態様を示す。この乳房受け部１２８０は、あらゆる意図と目的のために、乳房に与えられる１つの対象の内側壁１２５０の代わりに、複数の内側に開放した凹面１２８１、１２８２を有する点をのぞいて乳房受け部１２０２のものと同じである。可撓性内シールド部に外側に付与された負圧により可撓性内シールド部をこれらの凹面に引き入れることができる。
【０１６１】
図３５及び３６は本発明の更に他の実施形態を示す。この乳房シールドは剛性外シールド部１３００及び可撓性内シールド部１３０２を有する。２つのシールド部１３００及び１３０２は一体のユニットとして成形される。可撓性内シールド部１３０２は円周リム１３０４から僅かに内で始まり、そして外シールド部１３００の管状延長部１３０６へ延び、延長部の壁へ比較的平滑に移行する。
【０１６２】
外シールド部１３００の内部にはリング１３０８が形成され、可撓性内シールド部１３０２はこの領域で外シールド部に位置する。外シールド部の横側には、剛性シールドに強さを加えることができ或いはある審美性を単に果たす追加のストラット状構造体１３１０が形成されている。圧力源からのホースの連結用の差し込み１３１２が外シールド部１３０２に形成され、そして剛性外シールド部の内部と連通する。
【０１６３】
可撓性内シールド部１３０２の外側と外シールド部１３００の内部との間に空間１３１８が設けられる。
【０１６４】
管状延長部１３０６はこれと同心に形成された管状カラー１３２０を有する。その同心構成は後方開口から閉鎖前方端に向かってテーパした薄いリング形の隙間を作る。この隙間の中にベース部１３２４の補足し合う形状の管状部分１３２２が受け入れられる。管状部分は干渉嵌めで受け入れられ、そして組合わさった内シールド部及び外シールド部をベース部に取り付けるのに役立つ。外シールド部１３００から下方に垂下したエプロン１３３０はベース部分１３２４の連結部分１３２６の湾曲に合う湾曲を有し、そして向きを正しくし、取付けを安定化させるのに役立つ。後壁１３３４は管状部分１３２２の後方側に有る。
【０１６５】
ポート１３３６が真空を圧力源からついには可撓性内シールド部１３０２の内部に伝える。真空はポート１３３６から、出口１３４０を経て連結部分１３２６に通じた内チャンネル１３３８に通る。その連結部分１３２６は、真空がスプラッシュガード１３４４を通り越し入口１３４６を介してベース部１３２４の管状部分１３２２の中へ通り続けるように、フラップ弁構造体（図示せず）によって閉じられる。管状カラー１３２０へ絞り出された乳は同じ入口１３４６（今は出口として機能し、この関係では入口／出口は相対的な用語である）を通って、連結部分１３２６に流入し、遂には乳容器に入る。
【０１６６】
差し込み１３１２を通して正圧又は負圧を付与することができる。１つの例では、乳頭／乳房を引く内部真空の作用で可撓性内シールド部１３０２が内側に移動するのを初期に防止するように、可撓性内シールド部１３０２内に構成された内部空間９０への間欠的な負圧（真空）と同時に負圧を内部空間１３１８に付与してもよい。次いで、その外部真空（即ち空間内）を解放することができ、次いで、搾り出し順序の有利な段階で、正圧を付与して可撓性内シールド部１３０２を乳房に押しつけて乳房を優しく絞る。しかし、これは異なる圧力を空間１３１８及び内部空間９０に付与する１つの方法である。
【０１６７】
第２１実施形態が図３７乃至４１に図示されている。この実施形態は図３３について論じたものと同様な内シールド部及び外シールド部と、図３５及び３６に関して説明したものとどうようなベース部とを有する。特に、剛性外シールド部１３５０は、僅かにテーパした管状部分１３５８へ延びる前方円錐部分１３５７を有する。前に説明した凹面１２８１が外シールド部の長手方向軸線の周りに対象的に設けられる（その軸線は本質的にはこの実施形態では対象軸線である）。ポート１３６０が管状部分１３５８の側壁を貫いて延び、ポート１２３８（即ち図３２）について説明したような方法で機能する。
【０１６８】
外シールド部の円周リム１３６２は、垂直平面において間隔を隔てた２つの外側に延びたフランジ１３６２ａ及び１３６２ｂで構成される。これらのフランジはまもなく説明される方法で可撓性内シールド部１３６６に係合する。
【０１６９】
シリコーン等で作られた可撓性内シールド部１３６６は、じょうご形外シールド部１３５０の形状と一致する形状を有する単壁構造体で構成されている。内シールド部は円錐部分１３７０に合体する管状延長部分１３６８を有する。内シールド部１３６６の管状延長部分１３６８はその後方（下流）端に、一連の外側に延びる円周出っ張り１３７２、１３７３を有し、これら出っ張りは、内シールド部と外シールド部が合わされるとき管状部分１３５８の内側壁と係合する（図４１参照）。出っ張り１３７３は管状部分１３５８の後方縁１３７５に位置し、そして内シールド部をこの端で適所に位置決めするのに役立つ。剛性管状（リング形）スリーブ又はカラー１３８０が管状延長部１３６８のツーピース領域の内側に嵌まり、このツーピース領域は側壁１３６８ａと１３６８ｂで構成される。スリーブ１３８０は補剛要素であり、管状部分１３６８が使用中適所にしっかりととどまるようにする。
【０１７０】
円錐部分１３７０は外シールド部のリム１３６２にスナップ嵌めする円周リム１３８２を有する。内側に延びる円周ビード１３８２ａがリム要素１３６２ａと１３６２ｂとの間の隙間に受け入れられる。リム１３８２にはドーナツ形チャンネル１３８４が形成され、このチャンネルリング１３８６を受け入れる。リング１３８６は外シールド部と内シールド部のこの前方（上流）端での係合を確実にする補剛要素である。
【０１７１】
内シールド部はその最前方端に僅かに内に向いたリップ１３９０を有していることに気づくであろう。これは、乳房シールドが乳房から外れて傾いたとき、乳が乳房シールドからこぼれるのを防止するのに役立つ。
【０１７２】
可撓性内シールド部１３６６はその両側に形成された突出部１３９２を更に有する。これらの突出部１３９２は内部空間９０の中へ内方に曲がる（それにより、外側に凹む）。突出部は主として円錐部分１３７０にあるが、管状延長部１３６８へも延びる。外シールド部と組みたてられるとき、突出部は一組の凹面１２８１に位置するのが好ましい。
【０１７３】
使用中、内シールド部と外シールド部との間の内空間に（ポート１３６０から）付与された正圧は突出部並びにスリーブ１３８０より上の可撓性内シールド部を乳房／乳頭に押しつけるのに役立つ。負圧（真空）は突出部並びに内シールド部を、もしも必要なだけ十分であれば、凹面１２８１へ引く。これは、乳の搾り出しを高め、吸っているとき子供の口、唇及び舌を暗示する母の「感触」をもたらす。
【０１７４】
かくして、多数の実施形態を種々説明したけれども、当業者は、異なる実施形態が、他の実施形態に使用し得る他の潜在的な特徴／設計を示すことを認識するであろう。より多くの変更、適用及び修正も発明の精神及び範囲に依然として入るであろう。
【図面の簡単な説明】
【０１７５】
【図１】特殊なベース部材に取り付けて示す、本発明に従って構成された乳房シールドの第１実施形態の断面図である。
【図２】空気チューブを取り付けた、図１の乳房シールドのベース部材の一部の僅かに拡大断面の詳細図である。
【図３】再び、特殊なベース部材に取り付けて示す、本発明に従って構成された乳房シールドの第２実施形態の断面図である。
【図４】一般的に在来の搾乳器装置の部分に取り付けて示す、本発明に従って構成された乳房シールドの第３実施形態の部分断面図である。
【図５】図３の乳房シールドの変形形態の構成段階を示す断面図である。
【図６】本発明に従って作られた、図１の実施形態の乳房シールドと構成が似ている乳房シールドの第４実施形態の断面図である。
【図７】本発明に従って構成された乳房シールドの第５実施形態の拡大斜視図である。
【図８】図７に示す本発明の乳房シールドの組立て実施形態の拡大断面図である。
【図９】本発明に従って構成された乳房シールドの第６実施形態の断面図である。
【図１０】本発明に従って構成された乳房シールドの第７実施形態の断面図である。
【図１０Ａ】圧力源と図１０の乳房シールドとの連結のためのポートの端面図である。
【図１１】本発明に従って構成された乳房シールドの第８実施形態の断面図である。
【図１２】本発明に従って構成された乳房シールドの第９実施形態の断面図である。
【図１３】本発明に従って構成された乳房シールドの第１０実施形態の断面図である。
【図１４】本発明に従って構成された乳房シールドの第１１実施形態の断面図である。
【図１５】本発明に従って構成された乳房シールドの第１２実施形態の断面図である。
【図１６】本発明に従って構成された乳房シールドの第１３実施形態の断面図である。
【図１６Ａ】図１６に示す乳房シールドの正面図である。
【図１７】本発明に従って構成された乳房シールドの第１４実施形態の断面図である。
【図１８】本発明に従って構成された乳房シールドの第１５実施形態の断面図である。
【図１９】図１８の乳房シールドの縮小背面図である。
【図１９Ａ】図１８に示す乳房シールド内に使用される内シールド部の斜視図である。
【図２０】本発明に従って構成された乳房シールドの第１６実施形態の断面図である。
【図２１】図２０に示す乳房シールド内に使用される内シールド部の斜視図である。
【図２２】軸線の周りに９０度回転させた、図２１に示す内シールド部の斜視図である。
【図２３】可撓性内シールド部の半分だけを示す、本発明に従って構成された乳房シールドの第１７実施形態の断面図である。
【図２４Ａ】本発明に従って構成された他の実施形態の外シールド部に取り付けられた内シールド部の部分断面図である。
【図２４Ｂ】内シールド部の更に他の形式を示す図２４Ａと似た断面図である。
【図２４Ｃ】内シールド部の更に他の形式を示す図２４Ａと似た断面図である。
【図２５】本発明に従って構成された内シールド部の適応の斜視図である。
【図２６】内シールド部の他の適応の斜視図である。
【図２７】内シールド部の更に他の適応の斜視図である。
【図２８】本発明に従って構成された乳房シールドの第１８実施形態の分解図である。
【図２９】本発明に従って構成された搾乳器組立体の乳房シールド及び追加の関連部品の第１９実施形態の２乳房シールドの第６実施形態の斜視図である。
【図３０】図２９に示す乳房シールド及び関連部品の分解斜視図である。
【図３１】図２９に示す乳房シールド及び関連部品の拡大背面斜視図である。
【図３２】図２９の乳房シールドの断面図である。
【図３３】図２９に示す形式の変形乳房シールドの斜視図である。
【図３４】図２９に示す乳房シールド及び関連部品用の空気チューブのアダプターの上平面図である。
【図３４Ａ】図３４のアダプターの一方の端から見た端面図である。
【図３４Ｂ】図３４のアダプターの他方の端から見た端面図である。
【図３５】本発明に従って構成された乳房シールドの第２０実施形態の上断面平面図である。
【図３６】図３５の実施形態の断面側面図である。
【図３７】本発明に従って構成された乳房シールドの第２１実施形態の分解斜視図である。
【図３８】図３７の組立て実施形態の断面側面図である。
【図３９】図３８の実施形態の上平面図である。
【図４０】図３８の実施形態の円周前方縁の拡大断面図である。
【図４１】図３８の実施形態の円周後方端の拡大断面図である。
【国際公開パンフレット】
2005502397.tif 000003
2005502397.tif 000004
2005502397.tif 000005
2005502397.tif 000006
2005502397.tif 000007
2005502397.tif 000008
2005502397.tif 000009
2005502397.tif 000010
2005502397.tif 000011
2005502397.tif 000012
2005502397.tif 000013
2005502397.tif 000014
2005502397.tif 000015
2005502397.tif 000016
2005502397.tif 000017
2005502397.tif 000018
2005502397.tif 000019
2005502397.tif 000020
2005502397.tif 000021
2005502397.tif 000022
2005502397.tif 000023
2005502397.tif 000024
2005502397.tif 000025
2005502397.tif 000026
2005502397.tif 000027
2005502397.tif 000028
2005502397.tif 000029
2005502397.tif 000030
2005502397.tif 000031
2005502397.tif 000032
2005502397.tif 000033
2005502397.tif 000034
2005502397.tif 000035
2005502397.tif 000036
2005502397.tif 000037
2005502397.tif 000038
2005502397.tif 000039
2005502397.tif 000040
2005502397.tif 000041
2005502397.tif 000042
2005502397.tif 000043
2005502397.tif 000044
2005502397.tif 000045
2005502397.tif 000046
2005502397.tif 000047
2005502397.tif 000048
2005502397.tif 000049
2005502397.tif 000050
2005502397.tif 000051
2005502397.tif 000052
2005502397.tif 000053
2005502397.tif 000054
2005502397.tif 000055
2005502397.tif 000056
2005502397.tif 000057
2005502397.tif 000058
2005502397.tif 000059
2005502397.tif 000060
2005502397.tif 000061
2005502397.tif 000062
2005502397.tif 000063
2005502397.tif 000064
2005502397.tif 000065
2005502397.tif 000066
2005502397.tif 000067
2005502397.tif 000068
2005502397.tif 000069
2005502397.tif 000070
2005502397.tif 000071
2005502397.tif 000072
2005502397.tif 000073
2005502397.tif 000074
2005502397.tif 000075
2005502397.tif 000076
2005502397.tif 000077
2005502397.tif 000078
2005502397.tif 000079
2005502397.tif 000080
2005502397.tif 000081
2005502397.tif 000082
2005502397.tif 000083
2005502397.tif 000084
2005502397.tif 000085
2005502397.tif 000086
【国際調査報告】
2005502397.tif 000087